(57)【要約】  通信方法、ネットワーク側装置、及び端末が提供される。方法では、ネットワーク側装置が、送信パラメータセットのプリセットされた少なくとも２つの値グループから１つの値グループを選択し、ネットワーク側装置が、選択された値グループを送信し、端末が、送信パラメータセットの少なくとも２つの値グループの値グループに基づき通信データを送信する。本発明は、別のシステム状態やサービス要求に適応して、送信性能を改善できる。
2019503626.tif 000002
【特許請求の範囲】
【請求項１】
通信方法であって、
ネットワーク側装置が、送信パラメータセットのプリセットされた少なくとも２つの値グループから１つの値グループを選択することであって、前記少なくとも２つの値グループの各値グループは前記送信パラメータセットの各送信パラメータの値を有し、前記送信パラメータセットの少なくとも１つの送信パラメータは少なくとも２つの値を有する、選択することと、
前記ネットワーク側装置が、前記選択された値グループを送信することとを含み、
前記送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含む、
方法。
【請求項２】
ネットワーク側装置が、送信パラメータセットのプリセットされた少なくとも２つの値グループから１つの値グループを選択することの前に、
前記方法は、
前記ネットワーク側装置が、サイドリンク輻輳情報を取得することをさらに含む、
請求項１に記載の方法。
【請求項３】
ネットワーク側装置が、送信パラメータセットのプリセットされた少なくとも２つの値グループから１つの値グループを選択することの後に、
前記方法は、
前記ネットワーク側装置が、送信要求セットを送信することを含み、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項１または２に記載の方法。
【請求項４】
前記リソースプール構成パラメータは、リソースプール期間、リソースプールオフセット、時間・周波数リソース情報を含む、
請求項１ないし３いずれか一項に記載の方法。
【請求項５】
通信方法であって、
端末が、ネットワーク側装置により送信される送信パラメータセットのものである１つの値グループを受信することと、
前記値グループは前記送信パラメータセットに対してプリセットされる少なくとも２つの値グループから前記ネットワーク側装置により選択され、前記少なくとも２つの値グループの各値グループは前記送信パラメータセットの各送信パラメータの値を含み、
前記送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、
前記送信パラメータセットの少なくとも１つの送信パラメータは少なくとも２つの値を有し、
前記端末が、前記送信パラメータセットの前記受信した値グループに基づき通信データを送信することとを含む、
方法。
【請求項６】
前記方法は、
端末が、ネットワーク側装置により送信される、送信パラメータセットのものである１つの値グループを受信する前に、
前記端末が、サイドリンク輻輳情報を送信することをさらに含む、
請求項５に記載の方法。
【請求項７】
前記方法は、
前記端末が、前記送信パラメータセットの前記受信した値グループに基づき通信データを送信することの前に、
前記端末が、前記ネットワーク側装置により送信された送信要求セットを受信することを含み、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項５または６に記載の方法。
【請求項８】
前記リソースプール構成パラメータは、リソースプール期間、リソースプールオフセット、時間・周波数リソース情報を含む、
請求項５ないし７いずれか一項に記載の方法。
【請求項９】
通信方法であって、
端末が、送信パラメータセットに対してプリセットされる少なくとも２つの値グループから１つの値グループを選択することであって、前記少なくとも２つの値グループの各値グループは前記送信パラメータセットの各送信パラメータの値を含み、
前記送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、
前記送信パラメータセットの少なくとも１つの送信パラメータは少なくとも２つの値を有し、
前記端末が、前記送信パラメータセットの前記値グループに基づき通信データを送信することとを含む、
方法。
【請求項１０】
端末が、送信パラメータセットに対してプリセットされた少なくとも２つの値グループから１つの値グループを選択することの前に、
前記端末が、サイドリンクの状態を測定することと、
測定結果に基づき、前記サイドリンクが輻輳状態にあるか判定することとを含む、
請求項９に記載の方法。
【請求項１１】
端末が、送信パラメータセットに対してプリセットされた少なくとも２つの値グループから１つの値グループを選択することは、
前記端末が、事前設定された送信要求セットに基づいて、前記送信パラメータセットに対してプリセットされた前記少なくとも２つの値グループから前記値グループを選択することを含み、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項９または１０に記載の方法。
【請求項１２】
前記リソースプール構成パラメータは、リソースプール期間、リソースプールオフセット、時間・周波数リソース情報を含む、
請求項９ないし１１いずれか一項に記載の方法。
【請求項１３】
送信パラメータセットに対してプリセットされた少なくとも２つの値グループから１つの値グループを選択するように構成される処理部と、
前記処理部により選択される前記値グループを送信するように構成される送信部と、
前記少なくとも２つの値グループの各値グループは、前記送信パラメータセットの各送信パラメータの値を含み、
前記送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、
前記送信パラメータセットの少なくとも１つの送信パラメータは少なくとも２つの値を有する、
ネットワーク側装置。
【請求項１４】
前記ネットワーク側装置はさらに受信部を有し、
前記受信部は、前記処理部が前記送信パラメータセットの前記少なくとも２つの値グループから前記値グループを選択する前に、サイドリンク輻輳情報を取得するように構成される、
請求項１３に記載のネットワーク側装置。
【請求項１５】
前記送信部はさらに、
前記処理部が前記送信パラメータセットのプリセットされた前記少なくとも２つの値グループから前記値グループを選択した後に、送信要求セットを送信するように構成され、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項１３または１４に記載のネットワーク側装置。
【請求項１６】
前記リソースプール構成パラメータは、リソースプール期間、リソースプールオフセット、時間・周波数リソース情報を含む、
請求項１３および１４いずれか一項に記載のネットワーク側装置。
【請求項１７】
ネットワーク側装置により送信される、送信パラメータセットのものである１つの値グループを受信するように構成される受信部であって、前記値グループは前記送信パラメータセットに対してプリセットされる少なくとも２つの値グループから前記ネットワーク側装置により選択され、
前記送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、
前記送信パラメータセットの少なくとも１つの送信パラメータは少なくとも２つの値を有する、受信部と、
前記受信部により受信される、前記送信パラメータセットのものである、前記値グループに基づき、通信データを送信するように構成される送信部とを有する、
端末。
【請求項１８】
前記送信部はさらに：
前記受信部が、前記ネットワーク側装置により送信される、前記送信パラメータセットのものである前記値グループを受信する前に、サイドリンク輻輳情報を送信するようにさらに構成される、
請求項１７に記載の端末。
【請求項１９】
前記送信部はさらに、
前記送信部が前記送信パラメータセットの前記受信された値グループに基づいて前記通信データを送信する前に、前記ネットワーク側装置により送信される送信要求セットを受信するように構成され、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項１７または１８に記載の端末。
【請求項２０】
前記リソースプール構成パラメータは、リソースプール期間、リソースプールオフセット、時間・周波数リソース情報を含む、
請求項１７ないし１９いずれか一項に記載の端末。
【請求項２１】
送信パラメータセットに対してプリセットされた少なくとも２つの値グループから１つの値グループを選択するように構成される処理部と、
前記送信パラメータセットの前記値グループに基づき通信データを送信するように構成される送信部とを有し、
前記少なくとも２つの値グループの各値グループは、前記送信パラメータセットの各送信パラメータの値を含み、
前記送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、
前記送信パラメータセットの少なくとも１つの送信パラメータは少なくとも２つの値を有する、
端末。
【請求項２２】
前記処理部は、
前記送信パラメータセットに対してプリセットされた前記少なくとも２つの値グループから前記値グループを選択する前に、サイドリンクの状態を測定し、測定結果に基づいて、前記サイドリンクが輻輳状態であるか判定するようにさらに構成される、
請求項２１に記載の端末。
【請求項２３】
前記処理部は、前記送信パラメータセットに対してプリセットされた前記少なくとも２つの値グループから、前記値グループを、次のように選択するように特に構成され、
事前設定された送信要求セットに基づいて、前記送信パラメータセットに対してプリセットされた前記少なくとも２つの値グループから前記値グループを選択し、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項２１または２２に記載の端末。
【請求項２４】
前記リソースプール構成パラメータは、リソースプール期間、リソースプールオフセット、時間・周波数リソース情報を含む、
請求項２１ないし２３いずれか一項に記載の端末。
【発明の詳細な説明】
【技術分野】
【０００１】
本願は、２０１６年１月２７日に出願した、発明の名称を「ＣＯＭＭＵＮＩＣＡＴＩＯＮ  ＭＥＴＨＯＤ，  ＮＥＴＷＯＲＫ  ＳＩＤＥ  ＤＥＶＩＣＥ，  ＡＮＤ  ＴＥＲＭＩＮＡＬ」とした特許出願第ＰＣＴ／ＣＮ２０１６／０７２４０９号についての優先権を主張する。この出願はその全体がここに参照援用される。
【０００２】
本発明は、通信技術の分野に関し、特に、通信方法、ネットワーク側装置、及び端末に関する。
【背景技術】
【０００３】
通信技術の発達に伴い、様々なタイプの装置間通信、例えば、端末間通信、車両間（Ｖｅｈｉｃｌｅ  ｔｏ  Ｖｅｈｉｃｌｅ、Ｖ２Ｖ）通信、車両・インフラストラクチャ間（Ｖｅｈｉｃｌｅ−ｔｏ−Ｉｎｆｒａｓｔｒｕｃｔｕｒｅ、Ｖ２Ｉ）通信、及び車両・歩行者間通信が広く使われている。
【０００４】
装置間通信システムでは、端末はネットワーク側装置を利用せずに直接的に通信を行うことができる。ネットワーク側装置は、リソース設定、スケジューリング、及び調整などを実行し、端末間の直接通信を支援することができる。一般的に、ネットワーク側装置は、装置間通信データを送信するように、送信リソースプールを装置間通信端末に割り当てる。リソースプールは、時間・周波数リソースのグループのセットとして理解することができ、送信に利用されるリソースプールと受信に利用されるリソースプールとを含む。ネットワーク側装置は、ブロードキャストモードにおいて、様々なリソースプール、例えば、スケジューリングアサインメント（Ｓｃｈｅｄｕｌｉｎｇ  Ａｓｓｉｇｎｍｅｎｔ、ＳＡ）リソースプール及びデータ（ｄａｔａ）リソースプールを構成し、各リソースプールは一定周期を有する。装置間通信端末は、２つのモードで、ネットワーク側装置により割り当てられたリソースプール中の時間・周波数リソースを利用することができる。あるモードでは、装置間通信端末は、ネットワーク側装置によりリソースプールから各装置間通信端末に割り当てられる、決められた時間・周波数リソースを利用する。別のモードでは、装置間通信端末は自律的かつランダムに、リソースプールから時間・周波数リソースを選択する。リソースプールはネットワーク側で設定され、又は事前構成される。装置間通信端末は、上記の２つのモードにおいてリソースプールから時間・周波数リソースを選択し、次いで、そのリソースプールの一定周期に基づき装置間通信データを送信する。
【０００５】
端末間通信において、特にＩｎｔｅｒｎｅｔ  ｏｆ  Ｖｅｈｉｃｌｅｓ通信システムにおいて、データパケットは周期的に送信され、各データパケットは複数回にわたり再送信され、送信信頼性を向上し、カバレッジを拡大している。送信パラメータを調節する現在のメカニズムでは、調節可能な送信パラメータが限られているため、かかるタイプのサービスにはより細かい調節を行えない。結果として、送信性能が低下する現象が発生する。
【発明の概要】
【０００６】
本発明の実施形態は、より効率的なデータ送信方法を提供し、それにより送信性能を向上させる通信方法、ネットワーク側装置及び端末を提供する。
【０００７】
第１の態様によると、通信方法が提供され、ネットワーク側装置は送信パラメータセットの各送信パラメータの値を設定する；送信パラメータセットの少なくとも１つの送信パラメータは少なくとも２つのプリセットされた値を有する；一以上の送信パラメータの様々な値は、送信パラメータセットの少なくとも２つの値グループを形成し；少なくとも２つの値グループの各値グループは、送信パラメータセットの各送信パラメータの値を含み；送信パラメータセットの少なくとも１つの送信パラメータは少なくとも２つの値を有し；１つの送信パラメータセットは、異なる時点における異なる値を有しても良く；ネットワーク側装置は、送信パラメータセットの値として、少なくとも２つの値グループから１つの値グループを選択し、その値グループを送信し、端末は、送信パラメータセットのものであり、ネットワーク側装置により送信される値グループを受信し、受信された送信パラメータセットの値グループに基づいて通信データを送信する。本方法は、別のシステム状態やサービス要求に適用して、送信性能を改善できる。
【０００８】
本装置の一実施形態では、上記の送信パラメータセットに含まれる送信パラメータは、送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータのうち一以上を含み；リソースプール構成パラメータは、リソースプール周期、リソースプールオフセット、及び時間・周波数リソース情報などを含む。一以上の送信パラメータが送信パラメータセットを形成する。送信パラメータは、上記の送信パラメータを含むが、それに限定されない。
【０００９】
可能性のあるデザインでは、ネットワーク側装置は、送信パラメータセットの値を選択する前に、サイドリンク輻輳情報を取得し、そのサイドリンク輻輳情報に基づいて値を選択し、輻輳を緩和する。
【００１０】
他の可能性のあるデザインでは、ネットワーク側装置は、送信要求セットに基づいて値グループを選択することができ、ここで送信要求セット内の少なくとも１つの送信要求は少なくとも２つのレベルを有し、異なる送信要求レベルは異なる値グループに対応し；そしてネットワーク側装置は、送信要求セットと、送信要求セットに対応する送信パラメータの値とを送信し、異なる送信要求に特有の差別化された送信を実現することができるようにする。
【００１１】
送信要求セットは、データパケット長、送信遅延、送信レート、パケット損失レート、優先度、及びサービス品質クラス指標（ＱｏＳ  ｃｌａｓｓ  ｉｄｅｎｔｉｆｉｅｒ、ＱＣＩ）レベルのうち一以上を含む。前述の送信要求のうちの１つ以上が送信要求セットを形成し、１つ以上の送信要求の異なる値が複数の送信要求レベルの複数のグループを形成する。
【００１２】
第２の態様によると、端末が送信パラメータセットに対してプリセットされた少なくとも２つの値グループから１つの値グループを取得する通信方法が提供され；端末は、送信パラメータセットの値のグループに基づき通信データを送信する。１つの送信パラメータセットは、異なる時点における異なる値を有しても良い。それゆえ、本方法は、別のシステム状態やサービス要求に適用して、送信性能を改善できる。
【００１３】
端末は、ネットワーク側装置から送信パラメータセットの値のグループを取得してもよく、または端末は、送信パラメータセットに対してプリセットされた少なくとも２つの値のグループから値グループを選択してもよい。端末は、送信端として機能する端末として理解することができる。少なくとも２つの値グループの各値グループは、送信パラメータセットの各送信パラメータの値を含む。送信パラメータセットに含まれる送信パラメータは、送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータ；及びリソースプール構成パラメータは、リソースプール周期、リソースプールオフセット、時間・周波数リソース情報のうち少なくとも１つを含む。送信パラメータセットの少なくとも１つの送信パラメータは少なくとも２つの値を有する、
【００１４】
可能性のあるデザインでは、送信パラメータセットの値のグループは、サイドリンク輻輳情報に基づき、少なくとも２つのプリセットされた、値のグループから選択される１つの、値のグループであってもよい。
【００１５】
端末は、サイドリンクの状態を測定し、例えば、干渉レベル、エネルギーレベル、基準信号受信電力（Ｒｅｆｅｒｅｎｃｅｅ  Ｓｉｇｎａｌ  Ｒｅｃｅｉｖｉｎｇ  Ｐｏｗｅｒ、ＲＳＲＰ）値、またはリソース使用量であってもよく；測定結果に基づき、サイドリンクが輻輳状態にあるか判定する。例えば、端末は、サイドリンクのリソース使用量が閾値を超えているかどうか、例えば、リソース使用量が５０％または８０％を超えているかどうかを判定し；閾値を超えた場合、サイドリンクが輻輳しているとみなされる；超えなければ、サイドリンクは輻輳していない。サイドリンクが輻輳しており、送信パラメータセットの値のグループが、少なくとも２つの事前設定された、値のグループから端末によって選択される１つの、値のグループである場合、端末は、サイドリンク輻輳情報に基づいて、少なくとも２つの事前設定された、値のグループから値のグループを選択することができる。
【００１６】
サイドリンクが輻輳しており、送信パラメータセットの値のグループがネットワーク側装置から取得される場合、端末は、送信パラメータセットのものであり、ネットワーク側装置によって送信された値のグループを受信する前に、サイドリンク輻輳情報を送信し、サイドリンク輻輳情報に基づいて送信パラメータセットの受信値を選択するようにして、輻輳を緩和する。
【００１７】
他の可能性のあるデザインでは、送信パラメータセットの値のグループは、送信要求セットに基づいて、少なくとも２つのプリセットされた、値のグループから選択される１つの、値のグループであってもよい。送信要求セットは、データパケット長、送信遅延、送信レート、パケット損失レート、優先度、及び複数のサービス品質クラス指標ＱＣＩレベルのうち少なくとも１つを含み；送信要求セット中の少なくとも１つの送信要求は少なくとも２つのレベルを有し、各送信要求レベルは、送信パラメータセットの１つの、値のグループに対応し、様々な送信要求に特有の差別化された送信を実施できる。
【００１８】
任意的に、送信パラメータセットの値のグループがネットワーク側装置から取得された場合、端末は、ネットワーク側装置によって送信された送信要求セットを受信し、送信要求セットに対応する送信パラメータセットの値に基づいてデータを送信する。例えば、端末がネットワーク側装置から送信パラメータセット中の送信パラメータ、すなわち送信周期と、その送信周期の値を取得する場合、データパケット長が３００バイト以上である大きいデータパケットの送信周期は５００ｍｓであり、データパケット長が３００バイトより少ない小さいデータパケットは送信周期１００ｍｓであり、ネットワーク側装置により送信され、端末により受信される送信要求セットは、データパケット長を含み、端末は、５００ｍｓの間隔で、データパケット長が３００バイト以上である大きいデータパケットを送信し、１００ｍｓの間隔で、データパケット長が３００バイト未満の小さいデータパケットを送信する。
【００１９】
任意的に、送信パラメータセットの値のグループが、少なくとも２つの事前設定された値のグループから端末によって選択された１つの、値のグループである場合、端末は、予め設定された送信要求セットに基づいて、送信パラメータセットに対してプリセットされた少なくとも２つの、値のグループから値のグループを選択する。
【００２０】
第３の態様によると、ネットワーク側装置が提供される。ネットワーク側装置は、上述した方法デザインにおいてネットワーク側装置を実施する機能を有し、その機能は、ハードウェアにより実現されてもよいし、ハードウェアにより対応するソフトウェアを実行することによって実現されてもよい。ハードウェアまたはソフトウェアは、前述の機能に対応する１つまたは複数のモジュールを含む。このモジュールはハードウェア及び／又はソフトウェアであってもよい。例えば、ネットワーク側装置は、処理部と送信部とを含む。処理部は、送信パラメータセットに対してプリセットされた少なくとも２つの、値のグループから１つの、値のグループを選択するように構成される。送信部は、処理部により選択される値のグループを送信するように構成される。
【００２１】
送信パラメータセットに含まれる送信パラメータは、送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータ；及びリソースプール構成パラメータは、リソースプール周期、リソースプールオフセット、時間・周波数リソース情報のうち少なくとも１つを含む。送信パラメータセットの少なくとも１つの送信パラメータは少なくとも２つの値を有する。１つの送信パラメータセットは、異なる時点における異なる値を有しても良い。それゆえ、ネットワーク側装置は、別のシステム状態やサービス要求に適応することができ、送信性能を改善できる。
【００２２】
可能性のあるデザインでは、ネットワーク側装置は受信部をさらに含む。処理部は、送信パラメータセットの少なくとも２つのプリセットされた、値のグループから、値のグループを選択する前に、サイドリンク輻輳情報を取得し、そのサイドリンク輻輳情報に基づいて値を選択し、輻輳を緩和するように構成される。
【００２３】
他の可能性のあるデザインでは、送信部は、処理部が送信パラメータセットの少なくとも２つのプリセットされた、値のグループから、値のグループを選択した後に、送信要求セットを送信するようにさらに構成される。送信要求セットは、データパケット長、送信遅延、送信レート、パケット損失レート、優先度、及び複数のサービス品質クラス指標ＱＣＩレベルのうち少なくとも１つを含み；送信要求セット中の少なくとも１つの送信要求は少なくとも２つのレベルを有し；各送信要求レベルは、送信パラメータセットの１つの、値のグループに対応し、様々な送信要求に特有の差別化された送信を実施できる。
【００２４】
第４の態様によると、端末が提供される。端末は、ネットワーク側装置から送信パラメータセットの１つの、値のグループを取得する前述の方法デザインにおける端末の機能を有し、その機能は、ハードウェアにより実施されてもよいし、対応するソフトウェアがハードウェアにより実行されることによって実施されてもよい。ハードウェアまたはソフトウェアは、前述の機能に対応する１つまたは複数のモジュールを含む。このモジュールはソフトウェア及び／又はハードウェアであってもよい。例えば、端末は受信部と送信部とを含む。受信部は、送信パラメータセットのものである、ネットワーク側装置により送信される、値のグループを受信するように構成される。  値のグループは、ネットワーク側装置により、送信パラメータセットに対してプリセットされた、少なくとも２つの、値のグループから選択され；送信パラメータセットに含まれる送信パラメータは、送信電力、送信電力オフセット、送信確率重み、送信周期、再送信量、変調・符号化方式ＭＣＳ（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータのうち少なくとも１つを含み；前記送信パラメータセットの少なくとも１つの送信パラメータは少なくとも２つの値を有する。送信部は、送信パラメータセットのものであり、受信部により受信される値のグループに基づき、通信データを送信するように構成される。１つの送信パラメータセットは、異なる時点における異なる値を有しても良い。それゆえ、端末は、別のシステム状態やサービス要求に適用して、送信性能を改善できる。
【００２５】
可能性のあるデザインでは、受信部は、送信パラメータセットのものであり、ネットワーク側装置により送信される値のグループを受信する前に、サイドリンク輻輳情報を送信し、受信された送信パラメータセットの値が、サイドリンク輻輳情報に基づいて選択され、輻輳を緩和するようにさらに構成される。
【００２６】
他の可能性のあるデザインでは、受信部は、送信部が送信パラメータセットの受信された値のグループに基づいて通信データを送信する前に、ネットワーク側装置により送信される送信要求セットを受信するようにさらに構成される。送信要求セットは、データパケット長、送信遅延、送信レート、パケット損失レート、優先度、及び複数のサービス品質クラス指標ＱＣＩレベルのうち少なくとも１つを含み；送信要求セット中の少なくとも１つの送信要求は少なくとも２つのレベルを有し；各送信要求レベルは、送信パラメータセットの１つの、値のグループに対応し、様々な送信要求に特有の差別化された送信を実施できる。
【００２７】
第５の態様によると、端末が提供される。端末は、少なくとも２つの事前設定された値のグループから送信パラメータセットの１つの、値のグループを選択する前述の方法デザインにおける端末の機能を有し、その機能は、ハードウェアにより実施されてもよいし、対応するソフトウェアがハードウェアにより実行されることによって実施されてもよい。ハードウェアまたはソフトウェアは、前述の機能に対応する１つまたは複数のモジュールを含む。このモジュールはソフトウェア及び／又はハードウェアであってもよい。例えば、端末は処理部と送信部とを含む。処理部は、送信パラメータセットに対してプリセットされた少なくとも２つの、値のグループから１つの、値のグループを選択するように構成される。送信部は、送信パラメータセットの値のグループに基づき、通信データを送信するように構成される。
【００２８】
少なくとも２つの値グループの各値グループは、送信パラメータセットの各送信パラメータの値を含み；前記送信パラメータセットの少なくとも１つの送信パラメータは少なくとも２つの値を有する。
【００２９】
送信パラメータセットに含まれる送信パラメータは、送信電力、送信電力オフセット、送信確率重み、送信周期、再送信量、変調・符号化方式ＭＣＳレベル、及びリソースプール構成パラメータ；及びリソースプール構成パラメータは、リソースプール周期、リソースプールオフセット、時間・周波数リソース情報のうち少なくとも１つを含む。
【００３０】
可能性のあるデザインでは、処理部は、送信パラメータセットに対してプリセットされた少なくとも２つの、値のグループから値のグループを選択する前に、サイドリンクの状態を測定し、測定結果に基づいて、サイドリンクが輻輳状態であるか判定するようにさらに構成される。
【００３１】
他の可能性のあるデザインでは、前記処理部は、前記送信パラメータセットに対してプリセットされた前記少なくとも２つの値グループから、前記値グループを、次のように、事前設定された送信要求セットに基づいて、送信パラメータセットに対してプリセットされた少なくとも２つの、値のグループから、値のグループを選択するように特に構成され、送信要求セットは、データパケット長、送信遅延、送信レート、パケット損失レート、優先度、及び複数のサービス品質クラス指標ＱＣＩレベルのうち少なくとも１つを含み、送信要求セット中の少なくとも１つの送信要求は少なくとも２つのレベルを有し；各送信要求レベルは送信パラメータセットの１つの、値のグループに対応するように選択される。
【図面の簡単な説明】
【００３２】
【図１】本発明の一実施形態が適用可能であり、端末間の直接通信のものであるシナリオを示す概略図である。
【００３３】
【図２】本発明の一実施形態によるネットワーク側装置を示す概略的構成図である。
【００３４】
【図３Ａ】本発明の一実施形態によるネットワーク側装置を示す他の概略的構成図である。
【図３Ｂ】本発明の一実施形態によるネットワーク側装置を示す他の概略的構成図である。
【００３５】
【図４】本発明の一実施形態による端末を示す概略的構成図である。
【００３６】
【図５】本発明の一実施形態による端末を示す他の概略的構成図である。
【００３７】
【図６】本発明の一実施形態による他の端末を示す概略的構成図である。
【００３８】
【図７】本発明の一実施形態による他の端末を示す他の概略的構成図である。
【００３９】
【図８】本発明の一実施形態による通信方法を示すフローチャートである。
【００４０】
【図９】本発明の一実施形態による通信方法を示す他のフローチャートである。
【００４１】
【図１０】本発明の一実施形態による通信方法を示すさらに他のフローチャートである。
【００４２】
【図１１】本発明の一実施形態による通信方法を示すさらに他のフローチャートである。
【００４３】
【図１２】本発明の一実施形態による通信方法を示すさらに他のフローチャートである。
【発明を実施するための形態】
【００４４】
以下、本発明の実施形態における添付図面を参照して本発明の実施形態における技術的解決策を詳細に説明する。
【００４５】
本発明の実施形態で提供される通信方法は、例えば、端末対端末（Ｄｅｖｉｃｅ  ｔｏ  Ｄｅｖｉｃｅ、Ｄ２Ｄ）通信シナリオ、または車両対車両（Ｖｅｈｉｃｌｅ  ｔｏ  Ｖｅｈｉｃｌｅ、Ｖ２Ｖ）通信シナリオ、または車両対エブリシング（Ｖ２Ｘ）通信シナリオのような２つの装置間の直接通信の通信シナリオに適用することができる。本発明の実施形態では、直接通信を行う装置は、無線通信機能を有する様々な携帯型装置、車載機器、ウェアラブル装置、計算装置、無線モデムに接続された他の処理装置、様々な形態のユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）、端末（ｔｅｒｍｉｎａｌ）、端末装置（Ｔｅｒｍｉｎａｌ  Ｅｑｕｉｐｍｅｎｔ）を含んでもよい。説明を容易にするため、本発明の実施形態では、直接通信を行う装置は以下、端末と言う。
【００４６】
図１は端末間の直接通信シナリオを示す概略図である。ネットワーク側装置は、端末１に対するデータ送信のための様々な送信パラメータを設定し、端末１は、データ送信器として機能し、端末２および端末３との端末間通信を行う。本発明の実施形態において、ネットワーク側装置は、無線アクセスネットワークに配備され、端末に対して無線通信機能を提供する装置であり、例えば、基地局（ｂａｓｅ  ｓｔａｔｉｏｎ、ＢＳ）であってもよく、マクロ基地局、マイクロ基地局、中継局、および様々な形態のアクセスポイントを含み得る。異なる無線アクセス技術を使用するシステムでは、基地局の機能を有する装置は、様々な名称で呼ばれ、例えば、ロングタームエボリューション（Ｌｏｎｇ  Ｔｅｒｍ  Ｅｖｏｌｕｔｉｏｎ、ＬＴＥ）ネットワークでは、装置は、進化したノードＢ（ｅｖｏｌｖｅｄ  ＮｏｄｅＢ、略してｅＮＢまたはｅＮｏｄｅＢ）と呼ばれ、第３世代の３Ｇネットワークでは、装置はノードＢ（Ｎｏｄｅ  Ｂ）と呼ばれる。
【００４７】
ネットワーク側装置と端末との間の通信のためのリンクは、アップリンクとダウンリンクであり、端末間のリンクはサイドリンクである。端末間通信において、ネットワーク側装置は、アップリンクおよびダウンリンクを使用してリソースプールを設定するシグナリングを送信し、またはアップリンクおよびダウンリンクを使用して送信のための特定の時間周波数リソースと送信端として機能する端末の送信パラメータを設定し、端末間通信を制御する制御シグナリングを送信することができる。通信システムにおいて比較的多数の端末がＤ２Ｄ通信データを送信する必要があるが、その通信システムには送信に利用可能な十分なリソースがない場合、送信遅延が比較的大きくなるか、または送信ビット誤り率が比較的高くなる。その結果、システム性能は低下する。あるいは、各端末がネットワーク側に設定されたリソースプールから送信リソースをランダムに選択してデータを送信する場合、通信システムにおいて比較的多数の端末がＤ２Ｄ通信データを送信する必要がある場合、送信競合を起こす確率が増加する。その結果、送信性能は低下する。
【００４８】
本発明の実施形態では、ネットワーク側装置は送信パラメータセットの少なくとも２つの、値のグループを設定する。送信パラメータセットは、少なくとも１つの要素を含む。送信パラメータセットが１つの要素を含むとき、すなわち１つのアイテムを含むとき、少なくとも２つの、値のグループのうちの値の各グループは、そのアイテムに対応する値を含む。送信パラメータセットが２つ以上の要素を含むとき、すなわち２つ以上のアイテムを含むとき、少なくとも２つの、値のグループのうちの値の各グループは、送信セット中の様々なアイテムにそれぞれ対応する複数の値を含む。１つの送信パラメータセットは、異なる時点における異なる値を有してもよく、ネットワーク側装置は少なくとも２つの、値のグループから１つの、値のグループを、送信パラメータセットの値として選択し、その値のグループを送信する。本発明は、別のシステム状態やサービス要求に適応して、送信性能を改善できる。
【００４９】
本発明では、本発明の実施形態で提供される通信方法と装置とを、具体的な実施形態を参照して以下に詳細に説明する。
【００５０】
本発明の実施形態は、ネットワーク側装置を提供する。ネットワーク側装置は、送信パラメータセットの少なくとも２つのプリセットされた、値のグループから、１つの、値のグループを選択して、選択された値のグループを送信する。
【００５１】
ネットワーク側装置の機能はハードウェアにより実装されてもよいし、対応するソフトウェアをハードウェアにより実行することにより実装してもよい。
【００５２】
図２は、本発明の一実施形態によるネットワーク側装置１００を示す概略的構成図である。図２に示すように、ネットワーク側装置１００は、送信器／受信器１０１と、コントローラ／プロセッサ１０２と、メモリ１０３と、通信部１０４とを含む。本発明のこの実施形態において、メモリ１０３は、コントローラ／プロセッサ１０２により実行されるプログラムコードを記憶するように構成される；コントローラ／プロセッサ１０２は、メモリ１０３に記憶されたプログラムを起動し、送信パラメータセットの少なくとも２つのプリセットされた、値のグループから、１つの、値のグループを選択し、送信器／受信器１０１を用いて、送信パラメータに対して選択された値のグループを送信するように構成され；送信器／受信器１０１は、送信パラメータに対して選択された値のグループを送信するように構成され；通信部１０４は、ネットワーク側装置と他のネットワークエンティティとの間の通信をサポートするように構成される。
【００５３】
送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、リソースプール構成パラメータは、リソースプール周期、リソースプールオフセット、及び時間・周波数リソース情報を含む。
【００５４】
少なくとも２つの、値のグループのうち値の各グループは、送信パラメータセット中の各送信パラメータの値を含み；送信パラメータセット中の少なくとも１つの送信パラメータは少なくとも２つの値を有する。１つの送信パラメータセットは、異なる時点における異なる値を有しても良い。それゆえ、ネットワーク側装置は、別のシステム状態やサービス要求に適応することができ、送信性能を改善できる。
【００５５】
任意的に、ネットワーク側装置１００のコントローラ／プロセッサ１０２は、送信器／受信器１０１を用いてサイドリンク輻輳情報を取得し、サイドリンク輻輳情報に基づいて値を選択して、輻輳を緩和するようにさらに構成される。
【００５６】
任意的に、ネットワーク側装置１００のコントローラ／プロセッサ１０２は、送信器／受信器１０１を用いて送信要求セットを送信するようにさらに構成される。送信要求セットは、データパケット長、送信遅延、送信レート、パケット損失レート、優先度、及びＱＣＩレベルのうち少なくとも１つを含み；送信要求セット中の少なくとも１つの送信要求は少なくとも２つのレベルを有し；各送信要求レベルは、送信パラメータセットの１つの、値のグループに対応し、様々な送信要求に特有の差別化された送信を実施できる。
【００５７】
本発明のこの実施形態におけるネットワーク側装置において、対応する機能を実行するのに用いられるハードウェアまたはソフトウェアは、上記機能に対応する一以上のモジュールを含む。このモジュールはソフトウェア及び／又はハードウェアであってもよい。
【００５８】
図３Ａは、本発明の一実施形態によるネットワーク側装置１０００を示す概略的構成図である。図３Ａに示すように、ネットワーク側装置１００は、処理部１００１と送信部１００２とを含む。処理部１００１は、送信パラメータセットに対してプリセットされた少なくとも２つの、値のグループから１つの、値のグループを選択するように構成される。送信部１００２は、処理部１００１により選択される値のグループを送信するように構成される。
【００５９】
送信パラメータセットは、上記の実施形態において説明した送信パラメータセットであってもよく、例えば、ネットワーク側装置１００に用いられる送信パラメータセットであってもよい。１つの送信パラメータセットは、異なる時点における異なる値を有しても良い。それゆえ、ネットワーク側装置は、別のシステム状態やサービス要求に適応することができ、送信性能を改善できる。
【００６０】
可能性のあるデザインでは、ネットワーク側装置１０００は、図３Ｂに示すように、受信部１００３をさらに含む。  受信部１００３は、処理部１００１が送信パラメータセットの少なくとも２つのプリセットされた、値のグループから値のグループを選択する前に、サイドリンク輻輳情報を取得し、そのサイドリンク輻輳情報に基づいて値を選択し、輻輳を緩和するように構成される。
【００６１】
本発明のこの実施形態では、送信部１００２は、処理部１００１が送信パラメータセットの少なくとも２つのプリセットされた、値のグループから、値のグループを選択した後に、送信要求セットを送信するように構成される。
【００６２】
送信要求セットは、上記の実施形態において説明した送信要求セットであってもよく、例えば、ネットワーク側装置１００に用いられる送信要求セットであってもよい。送信要求セットの少なくとも１つの送信要求は、少なくとも２つのレベルを有し、各送信要求レベルは送信パラメータセットの１つの、値のグループに対応し、様々な送信要求に対して特有の差別化された送信を実施することができる。
【００６３】
本発明の実施形態は、さらに端末を提供する。端末は、送信パラメータセットのものである、ネットワーク側装置により送信される１つの、値のグループを受信し、送信パラメータセットの受信された値のグループに基づいて通信データを送信する機能を有する。
【００６４】
本発明のこの実施形態における端末の機能はハードウェアにより実装されてもよいし、対応するソフトウェアをハードウェアにより実行することにより実装されてもよい。
【００６５】
図４は、本発明の一実施形態による端末２００を示す概略的構成図である。図４に示すように、端末２００は送信器２０１と、受信器２０２と、コントローラ／プロセッサ２０３と、メモリ２０４とを含む。
【００６６】
メモリ２０４は、コントローラ／プロセッサ２０３により実行されるプログラムコードを記憶するように構成される。
【００６７】
コントローラ／プロセッサ２０３は、メモリ２０４に記憶されたプログラムを起動し、受信器２０２を用いて、送信パラメータセットのものであり、ネットワーク側装置により送信された１つの、値のグループを受信し、送信器２０１を用いて送信パラメータセットの受信された値のグループに基づき、送信データを送信するように構成される。
【００６８】
値のグループは、ネットワーク側装置により、送信パラメータセットに対してプリセットされた少なくとも２つの、値のグループから選択される。送信パラメータセットは、上記の実施形態において説明した送信パラメータセットであってもよく、例えば、ネットワーク側装置１００に用いられる送信パラメータセットであってもよい。１つの送信パラメータセットは、異なる時点における異なる値を有しても良い。それゆえ、端末は、別のシステム状態やサービス要求に適用して、送信性能を改善できる。
【００６９】
受信器２０２は、送信パラメータセットのものである、ネットワーク側装置により送信される値のグループを受信するように構成される。
【００７０】
送信器２０１は、送信パラメータセットの受信された値のグループに基づき、通信データを送信するように構成される。
【００７１】
任意的に、端末２００のコントローラ／プロセッサ２０３は、送信パラメータセットのものであり、ネットワーク側装置により送信される値のグループを受信する前に、送信器２０１を用いてサイドリンク輻輳情報を送信し、送信パラメータセットの受信される値が、サイドリンク輻輳情報に基づいて選択され、輻輳を緩和するように構成される。
【００７２】
任意的に、端末２００のコントローラ／プロセッサ２０３は、受信された送信パラメータセットの値のグループに基づいて通信データを送信する前に、受信器２０２を使用して、ネットワーク側装置によって送信された送信要求セットを受信し、異なる送信要求に特有の差別化された送信を実現するようにさらに構成される。
【００７３】
本発明のこの実施形態における端末において、対応する機能を実行するのに用いられるハードウェアまたはソフトウェアは、上記機能に対応する一以上のモジュールを含む。このモジュールはソフトウェア及び／又はハードウェアであってもよい。
【００７４】
図５は、本発明の一実施形態による端末２０００を示す概略的構成図である。図５に示したように、端末２０００は受信部２００１と送信部２００２とを含む。受信器２００１は、送信パラメータセットのものである、ネットワーク側装置により送信される値のグループを受信するように構成される。送信部２００２は、送信パラメータセットのものであり、受信部２００１により受信される値のグループに基づき、通信データを送信するように構成される。
【００７５】
値のグループは、ネットワーク側装置により、送信パラメータセットに対してプリセットされた少なくとも２つの、値のグループから選択される。送信パラメータセットは、上記の実施形態において説明した送信パラメータセットであってもよく、例えば、ネットワーク側装置１００に用いられる送信パラメータセットであってもよい。１つの送信パラメータセットは、異なる時点における異なる値を有しても良い。それゆえ、端末は、別のシステム状態やサービス要求に適用して、送信性能を改善できる。
【００７６】
任意的に、送信部２００２は、受信部２００１が、送信パラメータセットのものであり、ネットワーク側装置により送信される値のグループを受信する前に、サイドリンク輻輳情報を送信し、送信パラメータセットの受信される値が、サイドリンク輻輳情報に基づいて選択され、輻輳を緩和するようにさらに構成される。
【００７７】
任意的に、受信部２００１は、送信部２００２が送信パラメータセットの受信された値のグループに基づいて通信データを送信する前に、ネットワーク側装置により送信される送信要求セットを受信するようにさらに構成される。
【００７８】
送信要求セットは、上記の実施形態において説明した送信要求セットであってもよく、例えば、ネットワーク側装置１００に用いられる送信要求セットであってもよい。送信要求セットの少なくとも１つの送信要求は、少なくとも２つのレベルを有し、各送信要求レベルは送信パラメータセットの１つの、値のグループに対応し、様々な送信要求に対して特有の差別化された送信を実施することができる。
【００７９】
本発明の実施形態は、さらに他の端末を提供する。端末は、少なくとも２つの事前設定された、送信パラメータセットの複数の、値のグループから、１つの、値のグループを選択し、送信パラメータセットの値のグループに基づき通信データを送信する機能を有する。
【００８０】
本発明のこの実施形態における端末の機能はハードウェアにより実装されてもよいし、対応するソフトウェアをハードウェアにより実行することにより実装されてもよい。
【００８１】
図６は、本発明の一実施形態による他の端末装置３００を示す概略的構成図である。図６に示すように、端末３００は、送信器３０１と、コントローラ／プロセッサ３０２と、メモリ３０３とを含む。
【００８２】
メモリ３０３は、コントローラ／プロセッサ３０２により実行されるプログラムコードを記憶するように構成される。
【００８３】
コントローラ／プロセッサ３０２は、メモリ３０３に記憶されたプログラムを起動し、送信パラメータセットに対してプリセットされた少なくとも２つの、値のグループから、１つの、値のグループを選択し、送信器３０１を用いて、受信された送信パラメータの値のグループに基づき、通信データを送信するように構成される。
【００８４】
少なくとも２つの、値のグループのうち値の各グループは、送信パラメータセット中の各送信パラメータの値を含み；送信パラメータセット中の少なくとも１つの送信パラメータは少なくとも２つの値を有する。
【００８５】
送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、リソースプール構成パラメータは、リソースプール周期、リソースプールオフセット、及び時間・周波数リソース情報を含む。
【００８６】
任意的に、端末３００のコントローラ／プロセッサ３０２は、送信パラメータセットに対してプリセットされた少なくとも２つの、値のグループから、値のグループを選択する前に、サイドリンクの状態を測定し、測定結果に基づいて、サイドリンクが輻輳状態であるか判定するようにさらに構成される。
【００８７】
任意的に、コントローラ／プロセッサ３０２は、送信パラメータセットに対してプリセットされた少なくとも２つの、値のグループから、値のグループを、次のように、事前設定された送信要求セットに基づいて、送信パラメータセットに対してプリセットされた少なくとも２つの、値のグループから、値のグループを選択するように構成され、送信要求セットは、データパケット長、送信遅延、送信レート、パケット損失レート、優先度、及び複数のサービス品質クラス指標ＱＣＩレベルのうち少なくとも１つを含み、送信要求セット中の少なくとも１つの送信要求は少なくとも２つのレベルを有し、各送信要求レベルは送信パラメータセットの１つの、値のグループに対応するように選択される。
【００８８】
本発明のこの実施形態における端末において、対応する機能を実行するのに用いられるハードウェアまたはソフトウェアは、上記機能に対応する一以上のモジュールを含む。このモジュールはソフトウェア及び／又はハードウェアであってもよい。
【００８９】
図７は、本発明の一実施形態による端末３０００を示す概略的構成図である。図７に示したように、端末３０００は処理部３００１と送信部３００２とを含む。処理部３００１は、送信パラメータセットに対してプリセットされた少なくとも２つの、値のグループから１つの、値のグループを選択するように構成される。送信部３００２は、送信パラメータセットの値のグループに基づき、通信データを送信するように構成される。
【００９０】
少なくとも２つの、値のグループのうち値の各グループは、送信パラメータセット中の各送信パラメータの値を含み；送信パラメータセット中の少なくとも１つの送信パラメータは少なくとも２つの値を有する。送信パラメータセットは、上記の実施形態において説明した送信パラメータセットであってもよく、例えば、ネットワーク側装置３００に用いられる送信パラメータセットであってもよい。１つの送信パラメータセットは、異なる時点における異なる値を有しても良い。それゆえ、端末は、別のシステム状態やサービス要求に適用して、送信性能を改善できる。
【００９１】
可能性のあるデザインでは、処理部３００１は、送信パラメータセットに対してプリセットされた少なくとも２つの、値のグループから、値のグループを選択する前に、サイドリンクの状態を測定し、測定結果に基づいて、サイドリンクが輻輳状態であるか判定するようにさらに構成される。
【００９２】
他の可能性のあるデザインでは、処理部３００１は、送信パラメータセットに対してプリセットされた少なくとも２つの、値のグループから、値のグループを、次のように選択するように特に構成される：事前設定された送信要求セットに基づいて、送信パラメータセットに対してプリセットされた少なくとも２つの、値のグループから、値のグループを選択し、送信要求セットは、データパケット長、送信遅延、送信レート、パケット損失レート、優先度、及び複数のサービス品質クラス指標ＱＣＩレベルのうち少なくとも１つを含み、送信要求セット中の少なくとも１つの送信要求は少なくとも２つのレベルを有し、各送信要求レベルは送信パラメータセットの１つの、値のグループに対応するように選択される。
【００９３】
留意点として、上記のネットワーク側装置及び端末のコントローラ／プロセッサは、一般的な中央処理装置（ＣＰＵ）、μプロセッサ、特定用途集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、または本発明のソリューション中のプログラムの実行を制御するように構成あれた一以上の集積回路であってもよい。コンピュータシステムに含まれる一以上のメモリは、静的情報および命令を格納することができる読み出し専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、または情報および命令を格納することができる別のタイプの動的記憶装置であってもよく、または磁気ディスク記憶装置であってもよい。これらのメモリはバスを用いてプロセッサに接続される。
【００９４】
言うまでもなく、上記の実施形態における添付した図面中のネットワーク側装置及び端末の構造は、ネットワーク側装置及び端末の単純化しただけのデザインであり、これに限定されない。実際の応用に際しては、ネットワーク側装置は、幾つの送信器、受信器、プロセッサ、コントローラ、メモリ、通信部などを含んでもよく、端末はコーダ、変調器、復調器、デコーダなどをさらに含んでもよい。
【００９５】
本発明の実施形態では、ネットワーク側装置及び端末による本発明の一実施形態における差別化された送信のための通信方法の実施を以下に詳細に説明する。
【００９６】
図８は、本発明の一実施形態による通信方法を示す概略的フローチャートである。図８に示すように、方法は次のステップを含む。
【００９７】
Ｓ１０１：ネットワーク側装置が、送信パラメータセットの少なくとも２つのプリセットされた、値のグループから、１つの、値のグループを選択する。
【００９８】
本発明のこの実施形態では、送信パラメータセットに含まれる送信パラメータは、次の送信パラメータのうち一以上を含んでもよい：送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータ；及びリソースプール構成パラメータは、リソースプール周期、リソースプールオフセット、時間・周波数リソース情報などを含む。送信パラメータは、上記の送信パラメータを含むが、それに限定されない。
【００９９】
送信パラメータセットの少なくとも１つの送信パラメータは少なくとも２つのプリセット値を有する。一以上の送信パラメータが送信パラメータセットを形成する。一以上の送信パラメータの様々な値は、複数の、値のグループを形成する。値の各グループは、送信パラメータセット中の各送信パラメータの値を含む。例えば、送信パラメータセットが１つの送信パラメータを含む場合、すなわち送信電力を含む場合、送信電力が送信パラメータセットを形成し、送信電力は少なくとも２つの異なる値を有する。送信電力の各値は、送信パラメータセットの１つの、値のグループであり、送信電力の少なくとも２つの異なる値は、送信パラメータセットの少なくとも２つの、値のグループを形成する。パラメータセットが２つの送信パラメータ、すなわち送信電力および送信周期を含む場合、送信電力および送信周期が送信パラメータセットを形成する。送信電力および送信周期の値は、以下のとおりであってもよい：送信電力が少なくとも２つの値を有し、送信周期が１つの値を有する；または送信電力が１つの値を有し、送信周期が少なくとも２つの値を有する；または送信電力および送信周期の両方が少なくとも２つの値を有する。送信電力の値と送信周期の値との様々な組合せが、送信パラメータセットの複数の、値のグループを形成する。例えば、送信電力が少なくとも２つの値ＡおよびＢを有し、送信周期が１つの値Ｃを有する場合、送信パラメータセットに対して２つのグループの値がプリセットされてもよく、送信電力の値Ａおよび送信周期の値Ｃを他の、値のグループとして用い、送信電力の値Ｂと送信周期の値Ｃとを別の値のグループとして使用する。送信パラメータセットが３以上の送信パラメータを含む場合はこれと同様であり、詳細はここでは繰り返して説明しない。
【０１００】
本発明のこの実施形態では、送信パラメータセット内の送信パラメータについて、値を設定することができ、値を次のように選択することができる。
【０１０１】
送信電力のプリセット値は、少なくとも２つの値を含み、例えばＰ１とＰ２を含み、ネットワーク側装置は、少なくとも２つの値から１つの値を選択し、例えばＰ１とＰ２から値Ｐ１を選択することができる。
【０１０２】
代替的に、送信電力のプリセット値は、少なくとも２つの値を含み、例えばΔＰ１とΔＰ２を含み、ネットワーク側装置は、少なくとも２つの値から１つの値を選択し、例えばΔＰ１とΔＰ２から値ΔＰ１を選択することができる。
【０１０３】
あるいは、送信確率重みのプリセット設定値は、少なくとも２つの値を含み、例えばＸ１＝１およびＸ２＝０．５を含み、ネットワーク側装置は、少なくとも２つの値から１つの値を選択し、例えば、Ｘ１＝１およびＸ２＝０．５からＸ２＝０．５を選択してもよい（各データパケットの送信確率は０．５に低減される）。
【０１０４】
あるいは、送信周期のプリセット設定値は、少なくとも２つの値を含み、例えばＴ１＝１００ｍｓおよびＴ２＝２００ｍｓを含み、ネットワーク側装置は、少なくとも２つの値から１つの値を選択し、例えば、Ｔ１＝１００ｍｓおよびＴ２＝２００ｍｓからＴ１＝１００ｍｓを選択してもよい（各データパケットは１００ｍｓの間隔で送信される）。
【０１０５】
あるいは、再送信量のプリセット値は、少なくとも２つのパラメータを含み、例えばＮ１＝３、Ｎ２＝１、Ｎ３＝０を含み、ネットワーク側装置は、少なくとも２つの値から１つの値を選択し、例えば、Ｎ１＝３、Ｎ２＝１、Ｎ３＝０からＮ１＝３を選択することができる（すなわち、各データパケットは４回送信される：各データパケットは最初に１回送信され、次に３回再送信される、すなわちデータパケットは合計４回送信される）。
【０１０６】
あるいは、ＭＣＳレベルのプリセット値は、少なくとも２つの値を含み、例えば、ＭＣＳ＝０ないしＭＣＳ＝３１にそれぞれ対応する３２通りＭＣＳレベルを含み、ネットワーク側装置は、少なくとも２つの値から１つの値を選択し、例えば、３２通りのＭＣＳレベルからＭＣＳ＝６を選択することができる（各データパケットはＭＣＳレベル６で送信される）。
【０１０７】
あるいは、リソースプール構成パラメータのプリセット値は、少なくとも２つの、値のグループを含み、例えば、Ｃ１とＣ２を含む。少なくとも２つの、値のグループの、値の各グループは、リソースプール構成関連パラメータのグループである。たとえば、値Ｃ１に対応するリソースプールは、２０ミリ秒の周期と０のオフセットを持ち、リソースプール内の利用可能なサブフレームはすべてのサブフレームであり、利用可能な周波数領域リソースは、システム帯域幅に対応するすべての物理リソースブロックであり、値Ｃ２に対応するリソースプールは４０ｍｓの周期と０のオフセットを有し、利用可能なサブフレームはすべてのサブフレームであり、利用可能な周波数領域リソースは、システム帯域幅に対応する６つの物理リソースブロックである。ネットワーク側装置は、少なくとも２つの値から１つの値を選択し、例えばＣ１とＣ２からＣ１を選択することができる。
【０１０８】
本発明のこの実施形態では、送信パラメータセットが１つの送信パラメータを含む場合、少なくとも２つのプリセットされた、値のグループから１つの、値のグループを選択することは、前述の様々な送信パラメータのうちの１つの少なくとも２つの値のうち１つを選択するものちして理解できる。例えば、送信パラメータセットが送信電力を含み、上記の例のように送信電力に対して値が選択された場合、選択された値のグループはＰ１である。送信パラメータセットが複数の送信パラメータを含む場合、少なくとも２つのプリセットされた、値のグループから、１つの、値のグループを選択することは、上記の様々な送信パラメータのうち少なくとも２つの異なる値をランダムに組み合わせて、複数の、値のグループから１つのグループを選択することとして理解することができる。例えば、上述した例のように、送信パラメータセットが上記の全ての送信パラメータを含み、送信パラメータごとに値が選択された場合、選択された、値のグループは、Ｐ１、ΔＰ１、Ｘ２＝０．５、Ｔ１＝１００ｍｓ、Ｎ１＝３、ＭＣＳ＝６、Ｃ１である。
【０１０９】
本発明のこの実施形態では、ネットワーク側装置は、実際の要求に応じて、少なくとも２つの予め設定された、値のグループから、１つの、値のグループを選択することができる。
【０１１０】
Ｓ１０２：ネットワーク側装置が、選択された、値のグループを送信する。
【０１１１】
ネットワーク側装置は、ブロードキャストモードで送信パラメータを送信したり、無線リソース制御（Ｒａｄｉｏ  Ｒｅｓｏｕｒｃｅ  Ｃｏｎｔｒｏｌ；ＲＲＣ）シグナリングを使用して送信パラメータを送信したり、制御シグナリングを使用して送信パラメータを送信することができる。制御シグナリングは、共通制御シグナリングと特定ユーザ制御シグナリングとに分類される。
【０１１２】
ネットワーク側装置は、共通制御シグナリングを用いてブロードキャストモードで送信パラメータを送信し、セル内のすべての端末が同じパラメータを有するようにしてもよい。ネットワーク側装置は、異なる端末が異なるパラメータを有するように、ＲＲＣシグナリングまたは特定ユーザ制御シグナリングを使用してパラメータを送信する。
【０１１３】
例えば、ネットワーク側装置が再送信量としてＮ１＝３を選択し、ブロードキャストモードで再送信量として選択された値を送信する場合には、セル内の全端末が送信したデータが３回再送信される。ネットワーク側装置が、再送信量としてＮ１＝３、Ｎ２＝１を選択し、専用制御シグナリングを使用して、再送信量に対して選択された値を送信し、すなわち、専用制御シグナリングを使用して、再送信量Ｎ１を端末１に送信し、再送信量Ｎ２を端末２に送信する場合、端末１が送信したデータが３回再送信され、端末２によって送信されたデータは一度再送信される。
【０１１４】
Ｓ１０３：第１の端末は、選択された、値のグループを受信し、送信パラメータセットの受信した、値のグループに基づいて通信データを送信する。
【０１１５】
本発明のこの実施形態では、説明を容易にするために、送信端となる端末を第１の端末と呼び、受信端となる端末を第２の端末と呼ぶ。
【０１１６】
Ｓ１０４：第２の端末は、第１の端末によって送信された通信データを受信する。
【０１１７】
第１の端末によって送信された通信データを正しく受信するために、第２の端末は、いくつかの特定の送信パラメータ、例えばリソースプール構成情報を取得する必要がある。したがって、任意的に、以下のステップをさらに含むことができる：
【０１１８】
Ｓ１０５：第２の端末は送信パラメータを取得する。
【０１１９】
第２の端末は、必要な送信パラメータをネットワーク側装置から取得してもよいし、または必要な送信パラメータを第１の端末から取得してもよい。
【０１２０】
本発明のこの実施形態では、ネットワーク側装置は、同じ送信パラメータセットに対して少なくとも２つの、値のグループを事前設定し、少なくとも２つの、値のグループから、１つの、値のグループを送信パラメータセットの値として選択し、値のグループを送信する。１つの送信パラメータは、異なる時点で異なる値を有することができ、それによって送信性能が向上する。
【０１２１】
本発明のこの実施形態で提供される通信方法の典型的な適用シナリオは、２つの端末間の直接通信中に、サイドリンク（ｓｉｄｅｌｉｎｋ）上で輻輳が発生するシナリオであり得る。この場合、送信パラメータ用にプリセットされた少なくとも２つの、値のグループから値のグループを選択する前に、ネットワーク側装置は、サイドリンク輻輳情報を取得し、サイドリンク輻輳情報に基づいて値を選択し、輻輳を緩和する。実装プロセスを図９に示す。
【０１２２】
図９に示した方法手順において、Ｓ２０２、Ｓ２０３、Ｓ２０４、Ｓ２０５は、それぞれ図８のＳ１０１、Ｓ１０２、Ｓ１０３、Ｓ１０４と同じである。図８との違いは、送信パラメータセットの値を選択する前に、この方法はさらに、以下のステップを含むことである：
【０１２３】
Ｓ２０１：ネットワーク側装置は、サイドリンク輻輳情報を取得する。
【０１２４】
端末はサイドリンクでデータを送信する。複数の端末が送信するデータ量が比較的多い場合、データパケットの送信性能が低下する、すなわちデータパケットの受信精度が低下する。このような現象は輻輳と考えられる。サイドリンク輻輳情報は、端末によって測定され、報告され、ネットワーク側装置によって取得される、サイドリンクの干渉レベル、エネルギーレベル、リファレンス信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）値、リソース使用量などであってもよく、またはネットワーク側装置が測定したサイドリンクのリソース使用量が閾値を超えているかどうか、例えば、リソース使用量が５０％または８０％を超えているかどうかであってもよい。しきい値を超えた場合、サイドリンクが混雑していると考えられる。さもなければ、サイドリンクは輻輳していない。
【０１２５】
任意的に、図９は、ステップＳ１０５と同じステップＳ２０６を含み、すなわち、第２の端末が送信パラメータを取得するステップを含む。
【０１２６】
本発明のこの実施形態で提供される通信方法の別の典型的な適用シナリオは、異なる送信要求に特有の差別化された送信のシナリオであってもよい。ネットワーク側装置は、送信要求セットに基づいて１つの、値のグループを選択する。送信要求セットは、データパケット長、送信遅延、送信レート、パケット損失レート、優先度、およびサービス品質クラス識別子（ＱｏＳ  ｃｌａｓｓ  ｉｄｅｎｔｉｆｉｅｒ、ＱＣＩ）のうちの１つまたは複数を含むことができ、送信要求セット内の少なくとも１つの送信要求は、少なくとも２つのレベルを有する。前述の送信要求のうちの１つ以上が送信要求セットを形成し、１つ以上の送信要求の異なる値が複数の送信要求レベルの複数のグループを形成する。異なる送信要求レベルは異なる、値のグループに対応し、それにより異なる送信要求に特有の差別化された送信を実現する。
【０１２７】
図１０は、本発明の一実施形態による通信方法を示すさらに他の概略的フローチャートである。図１０に示すように、方法は次のステップを含む。
【０１２８】
Ｓ３０１：ネットワーク側装置が、送信要求セットに基づいて、送信パラメータセットの少なくとも２つのプリセットされた、値のグループから、１つの、値のグループを選択する。
【０１２９】
送信要求セットは、データパケット長、送信遅延、送信レート、パケット損失レート、優先度、およびＱＣＩのうちの１つまたは複数を含むことができ、送信要求は、上記の送信要求を含むが、これらに限定されない。
【０１３０】
前述の送信要求のそれぞれの異なる値は、送信要求の異なるレベルを形成する。例えば、データパケット長については、言うまでもなく、データパケット長の値が３００バイト以上のデータパケットと、データパケット長の値が３００バイト以下のデータパケットが、データパケット長の２つのレベルを形成する。送信要求セット内の少なくとも１つの送信要求は少なくとも２つのレベルを有し、異なる送信要求レベルは異なる値グループに対応する。例えば、送信要求セットが１つの送信要求を含む、すなわちデータパケット長を含む場合、データパケット長は送信要求セットを形成する。データパケット長は、少なくとも２つのレベルを有し、データパケット長の各レベルは、パラメータセットの１つの、値のグループに対応する。パラメータセットが２つの送信要求、すなわちデータパケット長および送信遅延を含む場合、データパケット長および送信遅延は送信要求セットを形成する。データパケット長および送信遅延のレベルは、以下のようになり得る。データパケットの長さは、少なくとも２つのレベルを有し、送信遅延は１つのレベルを有する。またはデータパケットの長さは１つのレベルを有し、送信遅延は少なくとも２つのレベルを有する。またはデータパケットの長さと送信遅延の両方が少なくとも２つのレベルを有する。データパケット長のレベルと送信遅延のレベルとの様々な組合せは、送信パラメータセットの異なる、値のグループにそれぞれ対応する。例えば、データパケット長がそれぞれ大きいデータパケットと小さいデータパケットの２つのレベルを有し、送信遅延がそれぞれ低遅延を必要とするサービスと高遅延を必要とするサービスの２つのレベルを有する場合、大きいデータパケットおよび低遅延を必要とするサービスは、送信パラメータセットの１つの、値のグループに対応し；大きいデータパケットおよび高遅延を必要とするサービスは、送信パラメータセットの１つの、値のグループに対応し；小さいデータパケットおよび低遅延を必要とするサービスは、送信パラメータセットの１つの、値のグループに対応し；小さいデータパケットおよび低遅延を必要とするサービスは、送信パラメータセットの１つの、値のグループに対応する。送信要求セットが３以上の送信要求を含む場合はこれと同様であり、詳細はここでは繰り返して説明しない。
【０１３１】
本発明のこの実施形態では、上記の送信要求の各々を以下に説明する。
【０１３２】
１．送信要求セットは、データパケット長を含む。
【０１３３】
本発明のこの実施形態では、ネットワーク側装置は、データパケットをデータパケット長に基づいて少なくとも２つのタイプのデータパケットに分類し、データパケットの各タイプに対して送信パラメータセットから送信パラメータを選択することができる。送信パラメータセットは、上記の実施形態において説明した送信パラメータセットであってもよく、例えば、Ｓ１０１で使用される送信パラメータセットであってもよい。
【０１３４】
例えば、本発明のこの実施形態では、ネットワーク側装置は、データパケットを２種類のデータパケットに分類することができる。データパケット長が３００バイト以上のデータパケットを大きいデータパケットと呼び、データパケット長が３００バイト未満のデータパケットを小さいデータパケットと呼ぶ。送信パラメータに対して特定の値が選択された場合、以下のようにしてもよい。
【０１３５】
ネットワーク側装置は、大きいデータパケットおよび小さいデータパケットについて送信パラメータ、すなわち送信電力を選択し、例えば送信電力に対してプリセットされた少なくとも２つの値のうちの１つを選択し、例えば、大きいデータパケットに対してＰ１とＰ２から値Ｐ１を選択し、小さいデータパケットに対してＰ１とＰ２から値Ｐ２を選択する。
【０１３６】
あるいは、ネットワーク側装置は、大きいデータパケットおよび小さいデータパケットについて送信パラメータ、すなわち送信電力を選択し、例えば小さいデータパケットに対して送信パラメータ、すなわち送信電力オフセットを選択し、大きいデータパケットに対してＰ１とＰ２から値Ｐ１を選択し、小さいデータパケットに対してΔＰ１とΔＰ２から値ΔＰ１を選択する。
【０１３７】
あるいは、ネットワーク側装置は、大きいデータパケットに対して送信パラメータ、すなわち送信電力オフセットを選択し、小さいデータパケットに対して送信パラメータ、すなわち送信電力を選択し、例えば、大きいデータパケットに対してΔＰ１およびΔＰ２からΔＰ２を選択し、小さいデータパケットに対してＰ１とＰ２から値Ｐ２を選択する。
【０１３８】
あるいは、ネットワーク側装置は、大きいデータパケットと小さいデータパケットとに対して送信パラメータ、すなわち送信確率重みを選択し、例えば、大きいデータパケットについてはＸ１＝１とＸ２＝０．５からＸ１＝１を選択し、小さいデータパケットについてはＸ１＝１とＸ２＝０．５からＸ２＝０．５を選択する、すなわち、小さいデータパケットは０．５の確率で送信される。
【０１３９】
あるいは、ネットワーク側装置は、大きいデータパケットと小さいデータパケットに対して送信パラメータ、すなわち送信周期を選択し、大きいデータパケットのための送信周期を選択し、例えば、Ｔ１＝１００ｍｓ、Ｔ２＝２００ｍｓからＴ１＝１００ｍｓを選択する。すなわち、１００ｍｓ間隔で大きいデータパケットを送信することを選択し、Ｔ１＝１００ｍｓ、Ｔ２＝２００ｍｓからＴ２＝２００ｍｓを選択し、すなわち、小さいデータパケットは２００ｍｓ間隔で送信される。
【０１４０】
あるいは、ネットワーク側装置は、大きいデータパケットおよび小さいデータパケットについて送信パラメータを、すなわち再送信量を選択し、例えば、大きいデータパケットに対して再総量を選択し、Ｎ１＝３、Ｎ２＝１、Ｎ３＝０からＮ１＝３を選択して、すなわち、大きいデータパケット内の各データパケットは４回送信され、（データパケットは１回送信され、３回再送信され、すなわちデータパケットは合計４回送信され）、および小さいデータパケットのために別の再送信量を選択し、例えば、Ｎ１＝３、Ｎ２＝１、Ｎ３＝０からＮ３＝０を選択し、すなわち、小さいデータパケット内の各データパケットは１回送信され、再送信されない。
【０１４１】
あるいは、ネットワーク側装置は、大きいデータパケットおよび小さいデータパケットに対して、送信パラメータ、すなわちＭＣＳレベルを選択し、例えば、大きいデータパケットに対してＭＣＳレベルを選択し、それぞれＭＣＳ＝０ないしＭＣＳ＝３１の３２通りのプリセットされたＭＣＳレベルからＭＣＳ＝６を選択し、すなわち大きいデータパケットはＭＣＳレベル６で送信され、小さいデータパケットに対して他のＭＣＳレベル、例えばＭＣＳ＝１０を選択し、すなわち小さいデータパケットがＭＣＳレベル１０で送信される。
【０１４２】
あるいは、ネットワーク側装置は、大きいデータパケットおよび小さいデータパケットの送信パラメータ、すなわちリソースプール構成パラメータを選択し、例えば、大きいデータパケットのリソースプール構成パラメータを選択し、Ｃ１とＣ２からＣ１を選択し、小さいデータパケットに対し別のリソースプール構成パラメータを選択し、例えば、Ｃ１とＣ２からＣ１を選択する。
【０１４３】
あるいは、大きいデータパケットと小さいデータパケットとのためにネットワーク側装置によって選択された送信パラメータが上記送信パラメータの少なくとも２つである場合、大きいデータパケットに対して、少なくとも２つの送信パラメータに対応する１つの、値のグループが選択されてもよい。例えば、ネットワーク側装置が大きいデータパケットおよび小さいデータパケットに対して、送信パラメータを選択した場合、すなわち、送信電力およびリソースプール構成パラメータを選択した場合、送信電力およびリソースプール構成パラメータの１つの、値のグループが、大きいデータパケットに対して選択されてもよく、例えば、送信電力Ｐ１およびリソースプール構成パラメータＣ１の値の１つのグループが選択されてもよく、送信電力およびリソースプール構成パラメータの別の、値のグループが、小さいデータパケットに対して選択されてもよく、例えば、送信電力Ｐ２およびリソースプール構成パラメータＣ２の値の１つのグループが選択されてもよい。
【０１４４】
２．送信要求セットは送信遅延を含む。
【０１４５】
本発明のこの実施形態では、ネットワーク側装置は、少なくとも２つの遅延要求を定め、各遅延要求に特有の送信パラメータを、送信パラメータセットから選択する。送信パラメータセットは、上記の実施形態の送信パラメータセットであってもよく、例えば、Ｓ１０１で使用される送信パラメータセットであってもよい。
【０１４６】
本発明のこの実施形態では、ネットワーク側装置は、遅延要求を２つのタイプに分類し、例えば、遅延が１００ｍｓ以下であることが要求されるサービスは、低遅延が要求されるサービスとして用いられ、遅延が５００ｍｓ以下であることが要求されるサービスは、高遅延が要求されるサービスとして用いられる。ネットワーク側装置は、低遅延を必要とするサービスと高遅延を必要とするサービスとに対して同じ送信パラメータを選択し、送信パラメータは異なる値に対応する。あるいは、ネットワーク側装置は、低遅延を必要とするサービスおよび高遅延を必要とするサービスに対して異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１４７】
３．送信要求セットは送信レート要求を含む。
【０１４８】
本発明のこの実施形態では、ネットワーク側装置は、少なくとも２つの送信レートを定め、各送信レート要求に対して送信パラメータを、送信パラメータセットから選択する。送信パラメータセットは、上記の実施形態の送信パラメータセットであってもよく、例えば、Ｓ１０１で使用される送信パラメータセットであってもよい。
【０１４９】
本発明のこの実施形態では、ネットワーク側装置は、送信レート要求を２つのタイプに分類し、例えば、１秒当たり１０回の送信が必要なサービスが高送信レートを必要とするサービスとして用いられ、１秒当たり２回の送信が必要なサービスが低送信レートを必要とするサービスとして使用される。ネットワーク側装置は、高い送信レートを必要とするサービス、および低い送信レートを必要とするサービスに対し、同じ送信パラメータを選択してもよく、送信パラメータは異なる値に対応する。あるいは、ネットワーク側装置は、高送信レートを必要とするサービスおよび低送信レートを必要とするサービスに対して異なる送信パラメータを選択してもよい。特定の選択方法については、上記実施形態の、大きいデータパケット及び小さいデータパケットの送信パラメータを選択し、送信パラメータの値を選択するプロセスを参照し、詳細はここでは説明しない。
【０１５０】
４．送信要求セットはパケット損失レート要求を含む。
【０１５１】
本発明のこの実施形態では、ネットワーク側装置は、少なくとも２つのパケット損失レート要求を定め、各パケット損失レート要求に対する送信パラメータを、送信パラメータセットから選択する。送信パラメータセットは、上記の実施形態の送信パラメータセットであってもよく、例えば、Ｓ１０１で使用される送信パラメータセットであってもよい。
【０１５２】
本発明のこの実施形態では、ネットワーク側装置は、パケット損失レート要求を２つのタイプに分類することができ、パケット損失レートが１％以下のサービスは、パケット損失レートの要求が高いサービスとして用いられ、パケット損失レートが１０％以下のサービスは、パケット損失レートの要求が低いサービスとして利用される。ネットワーク側装置は、パケット損失レートに対する要求が高いサービス、およびパケット損失レートに対する要求が低いサービスに対して同じ送信パラメータを選択してもよく、ここで送信パラメータは異なる値に対応する。あるいは、ネットワーク側装置は、パケット損失レートに対する高い要求を伴うサービス、およびパケット損失レートに対する低い要求を伴うサービスに対し、異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１５３】
５．送信要求セットは優先度要求を含む。
【０１５４】
本発明のこの実施形態では、ネットワーク側装置は、少なくとも２つの優先度要求を定め、各優先度要求に対して、送信パラメータセットから送信パラメータを選択する。送信パラメータセットは、上記の実施形態の送信パラメータセットであってもよく、例えば、Ｓ１０１で使用される送信パラメータセットであってもよい。
【０１５５】
本発明のこの実施形態では、ネットワーク側装置は、優先度要求を優先度１ないし優先度８の８種類に分類することができ、例えば、優先度レベル８のサービスを高い優先度を要求するサービスとして使用し、優先度レベル１のサービスを低い優先度を要求するサービスとして使用する。ネットワーク側装置は、高優先度を必要とするサービスと低優先度を必要とするサービスとに対して同じ送信パラメータを選択してもよく、ここで送信パラメータは異なる値に対応する。あるいは、ネットワーク側装置は、高優先度を必要とするサービスおよび低優先度を必要とするサービスに対して異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１５６】
６．送信要求セットはＱＣＩレベル要求を含む。
【０１５７】
本発明のこの実施形態では、ネットワーク側装置は、少なくとも２つのＱＣＩレベル要求を定め、各ＱＣＩレベル要求に対して、送信パラメータセットから送信パラメータを選択する。送信パラメータセットは、上記の実施形態の送信パラメータセットであってもよく、例えば、Ｓ１０１で使用される送信パラメータセットであってもよい。
【０１５８】
本発明のこの実施形態では、ネットワーク側装置は、ＱＣＩレベル要求をＱＣＩレベル１ないしＱＣＩレベル８の８種類に分類することができ、例えば、ＱＣＩレベル８のサービスを高いＱＣＩレベルを要求するサービスとして使用し、ＱＣＩレベル１のサービスを低いＱＣＩレベルを要求するサービスとして使用する。ネットワーク側装置は、高ＱＣＩレベルを必要とするサービスと低ＱＣＩレベルを必要とするサービスとに対して同じ送信パラメータを選択してもよく、ここで送信パラメータは異なる値に対応する。あるいは、ネットワーク側装置は、高ＱＣＩレベルを必要とするサービスおよび低ＱＣＩレベルを必要とするサービスに対して異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１５９】
本発明のこの実施形態では、送信要求セットは、上記の様々な送信要求のうち少なくとも２つを含み得る。各送信要求に特有な、送信パラメータと送信パラメータの値とを選択するプロセスは、次のように実行され得る。
【０１６０】
Ｓ３０２：ネットワーク側装置は、送信要求セットと、その送信要求セットに対応する送信パラメータの値とを送信する。
【０１６１】
本発明のこの実施形態では、ネットワーク側装置は、送信パラメータセットのために値のグループが選択される送信要求をブロードキャストすることができ、送信要求および対応する送信パラメータを受信した端末は、その送信要求セットに対応する送信パラメータセットの値に基づいてデータを送信する。例えば、端末がネットワーク側装置から送信パラメータセット中の送信パラメータ、すなわち送信周期と、その送信周期の値を取得する場合、データパケット長が３００バイト以上である大きいデータパケットの送信周期は５００ｍｓであり、データパケット長が３００バイトより少ない小さいデータパケットは送信周期１００ｍｓであり、ネットワーク側装置により送信され、端末により受信される送信要求セットは、データパケット長を含み、端末は、５００ｍｓの間隔で、データパケット長が３００バイト以上である大きいデータパケットを送信し、１００ｍｓの間隔で、データパケット長が３００バイト未満の小さいデータパケットを送信する。
【０１６２】
具体的には、ネットワーク側装置は、送信要求および対応する送信パラメータをブロードキャストモードで送信し、またはＲＲＣシグナリングを使用して送信要求および対応する送信パラメータを送信し、または制御シグナリングを使用して送信要求および対応する送信パラメータを送信することができる。制御シグナリングは、共通制御シグナリングと特定ユーザ制御シグナリングとに分類される。
【０１６３】
ネットワーク側装置は、共通制御シグナリングを用いてブロードキャストモードで送信パラメータを送信し、セル内のすべての端末が送信要求の同じパラメータを有するようにしてもよい。あるいは、ネットワーク側装置は、ＲＲＣシグナリングまたは特定ユーザ制御シグナリングを使用して送信要求と、対応する送信パラメータを送信し、異なる端末が送信要求に特有の異なるパラメータを有するようにする。
【０１６４】
例えば、ネットワーク側装置がデータパケット長に基づいてパラメータを選択し、ネットワーク側装置が、データパケット長が３００バイト以上であるデータパケットの再送信量Ｎ１＝３を選択し、送信要求と、対応する再送信パラメータとをブロードキャストモードで送信する場合、データパケット長が３００バイト以上であるセル内のすべての端末により送信されるデータパケットは、３回再送信される。ネットワーク側装置が、データパケット長に基づいてパラメータを選択し、ネットワーク側装置が、データパケット長が３００バイト以上のデータパケットに対して再総量Ｎ１＝３及びＮ２＝１を選択し、専用制御シグナリングを使用して送信要求と、対応するパラメータとを送信し、すなわち、専用制御シグナリングを用いて、送信要求と、対応する再送信量とを端末１に送信し、送信要求と、対応する再送信量Ｎ２とを端末２に送信する場合、端末１により送信されデータパケット長が３００バイト以上であるデータパケットは、３回再送信され、端末２により送信されデータパケット長が３００バイト以上であるデータパケットは１回再送信される。
【０１６５】
任意的に、本発明のこの実施形態では、ネットワーク側装置は、送信要求レベルを分類する分類閾値を設定してもよく、例えば、大きいデータパケットと小さいデータパケットとを分類する分類閾値は３００バイトであり、分類閾値はセル内でブロードキャストされる。
【０１６６】
Ｓ３０３：第１の端末は、ネットワーク側装置によって送信された送信要求セットと、その送信要求セットに対応する送信パラメータセットの値を受信する。
【０１６７】
Ｓ３０４、Ｓ３０５は、それぞれ図８のＳ１０４、Ｓ１０５と同じであり、詳細な説明は省略する。
【０１６８】
本発明のこの実施形態では、送信端末として機能する第１の端末は上記実施形態において、ネットワーク側装置から送信パラメータセットの少なくとも２つの、値のグループのうちの値のグループを取得してもよいし、送信パラメータセットの少なくとも２つの事前設定された、値のグループから値のグループを選択し、選択された、値のグループに基づいて通信データを送信する。実装プロセスについては図１１を参照されたい。
【０１６９】
図１１は、本発明の一実施形態による通信方法を示すさらに他の概略的フローチャートである。図１１に示すように、方法は次のステップを含む。
【０１７０】
Ｓ４０１：第１の端末が、送信パラメータセットに対して事前設定された少なくとも２つの、値のグループから、１つの、値のグループを選択する。
【０１７１】
少なくとも２つの値グループの各値グループは、送信パラメータセットの各送信パラメータの値を含む。送信パラメータセットは、上記の実施形態の送信パラメータセットであってもよく、例えば、Ｓ１０１で使用される送信パラメータセットであってもよい。
【０１７２】
任意的に、第１の端末が、事前設定された送信要求セットに基づいて、送信パラメータセットに対してプリセットされた少なくとも２つの値グループから値グループを選択して、異なる送信要求に特有の差別化された送信を実施することができる。
【０１７３】
送信要求セットと上記の実施形態の送信要求セットとの差分は、送信要求セットが端末により事前設定され、他の部分が上記の実施形態の送信要求、例えば、Ｓ３０１で使用される送信要求と同じであることである。
【０１７４】
Ｓ４０２：第１の端末は、送信パラメータセットの値のグループに基づき通信データを送信する。
【０１７５】
Ｓ４０３、Ｓ４０４は、それぞれ図８のＳ１０４、Ｓ１０５と同じであり、詳細な説明は省略する。
【０１７６】
任意的に、送信パラメータセットの値の少なくとも２つのプリセットグループから値のグループを選択する前に、第１の端末は、サイドリンクのリンク状態を測定し、測定結果に基づいて、そのサイドリンクが輻輳状態にあるか判定し、サイドリンクが輻輳状態にある場合、サイドリンク輻輳情報に基づいて値を選択し、輻輳を緩和する。実装プロセスを図１２に示す。
【０１７７】
図１２に示す方法手順では、Ｓ５０３、Ｓ５０４、Ｓ５０５、Ｓ５０６は、それぞれ図１１のＳ４０１、Ｓ４０２、Ｓ４０３、Ｓ４０４と同じであり、図１１との差分は、送信パラメータセットの値の少なくとも２つの事前設定されたグループから値の１つのグループを選択する前に、本方法は、以下のステップをさらに含む。
【０１７８】
Ｓ５０１：第１の端末はサイドリンクの状態を測定する。
【０１７９】
第１の端末によって測定されるサイドリンクの状況は、例えば、干渉レベル、エネルギーレベル、基準信号受信電力（Ｒｅｆｅｒｅｎｃｅｅ  Ｓｉｇｎａｌ  Ｒｅｃｅｉｖｉｎｇ  Ｐｏｗｅｒ、ＲＳＲＰ）値、またはリソース使用量であり得る。
【０１８０】
Ｓ５０２：  測定結果に基づき、サイドリンクが輻輳状態にあるか判定する。
【０１８１】
測定結果に基づきサイドリンクが輻輳しているか判定することは、指定されたパラメータが指定された閾値を越えるか判定することであってもよい。例えば、第１の端末は、サイドリンクのリソース使用量が閾値を超えているかどうか、例えば、リソース使用量が５０％または８０％を超えているかどうか判定し、しきい値を超えていれば、サイドリンクが輻輳状態にあり、超えていなければ、サイドリンクは輻輳していないと考えられる。
【０１８２】
本発明の実施形態で提供される差別化されたデータ送信は、前述の２つの適用シナリオが組み合わされたシナリオに適用することができる。すなわち、ネットワークの輻輳が発生した場合、送信パラメータセットの値は、送信要求セットに基づいて選択されてもよい。具体的な実施プロセスについては、前述の実施形態の説明を参照し、ここでの詳細な説明は省略する。
【０１８３】
留意点として、本発明の実施形態において、「複数の」とは、２つまたは３つ以上を意味する。用語「および／または」は、関連するオブジェクトを記述するための関連関係を記述し、３つの関係が存在し得ることを表す。例えば、Ａおよび／またはＢは、次の３つの場合を表し得る：Ａのみ存在する、ＡおよびＢの両方が存在する、Ｂのみが存在する。文字「／」は、一般に、関連するオブジェクト間の「または」関係を示す。
【０１８４】
当業者には言うまでもなく、上記実施形態の各方法のステップの全部又は一部は、プロセッサに命令するプログラムにより実施されてもよい。上記のプログラムはコンピュータ読み取り可能記憶媒体に格納してもよい。記憶媒体は、非一時的（英語：ｎｏｎ−ｔｒａｎｓｉｔｏｒｙ）媒体であってもよく、例えば、ランダムアクセスメモリ、リードオンリーメモリ、フラッシュメモリ、ハードディスク、ソリッドステートドライブ、磁気テープ（英語：ｍａｇｎｅｔｉｃ  ｔａｐｅ）、フロッピーディスク（英語：ｆｌｏｐｐｙ  ｄｉｓｋ）（登録商標）、光ディスク（英語：ｏｐｔｉｃａｌ  ｄｉｓｃ）、またはそれらの任意の組み合わせであってもよい。
【０１８５】
本発明は、本発明の実施形態における方法および装置のフローチャートおよびブロック図を参照して説明される。言うまでもなく、コンピュータプログラム命令を用いて、フローチャート及びブロック図の、及びフローチャート及びブロック図のプロセス及びブロックの組み合わせにより、各プロセス及び各ブロックを実装できる。これらのコンピュータプログラム命令を汎用コンピュータ、専用コンピュータ、組み込みプロセッサ、またはその他の任意のプログラマブルデータ処理装置のプロセッサに提供して、機械を生成することができ、コンピュータまたはその他の任意のプログラマブルデータ処理装置のプロセッサにより実行された命令が、フローチャート中の一以上のプロセス及び／またはブロック図中の一以上のブロックの具体的な機能を実装する装置を生成するようにする。
【０１８６】
上記の説明は、単に本発明の実施例であり、本発明の保護範囲の限定を意図したものではない。本発明で開示した技術的範囲内における当業者により容易に想到される変形や置換は、本発明の保護範囲に入るものである。よって、本発明の保護範囲は特許請求の範囲に基づく。
【図１】
2019503626.tif 000003
【図２】
2019503626.tif 000004
【図３Ａ】
2019503626.tif 000005
【図３Ｂ】
2019503626.tif 000006
【図４】
2019503626.tif 000007
【図５】
2019503626.tif 000008
【図６】
2019503626.tif 000009
【図７】
2019503626.tif 000010
【図８】
2019503626.tif 000011
【図９】
2019503626.tif 000012
【図１０】
2019503626.tif 000013
【図１１】
2019503626.tif 000014
【図１２】
2019503626.tif 000015
【手続補正書】
【提出日】平成30年9月3日(2018.9.3)
【手続補正１】
【補正対象書類名】特許請求の範囲
【補正対象項目名】全文
【補正方法】変更
【補正の内容】
【特許請求の範囲】
【請求項１】
通信方法であって、
ネットワーク側装置が、送信パラメータセットのプリセットされた少なくとも２つの値グループから１つの値グループを選択することであって、前記少なくとも２つの値グループの各値グループは前記送信パラメータセットの各送信パラメータの値を有し、前記送信パラメータセットの少なくとも１つの送信パラメータは少なくとも２つの値を有する、選択することと、
前記ネットワーク側装置が、前記選択された値グループを送信することとを含み、
前記送信パラメータセットに含まれる送信パラメータは、送信電力、送信電力オフセット、送信確率重み、送信周期、再送信量、変調・符号化方式（ＭＣＳ）レベル、及びリソースプール構成パラメータのうち少なくとも１つを含む、
方法。
【請求項２】
ネットワーク側装置が、送信パラメータセットのプリセットされた少なくとも２つの値グループから１つの値グループを選択することの前に、
前記方法は、
前記ネットワーク側装置が、サイドリンク輻輳情報を取得することをさらに含む、
請求項１に記載の方法。
【請求項３】
ネットワーク側装置が、送信パラメータセットのプリセットされた少なくとも２つの値グループから１つの値グループを選択することの後に、
前記方法は、
前記ネットワーク側装置が、送信要求セットを送信することを含み、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項１または２に記載の方法。
【請求項４】
通信方法であって、
端末が、ネットワーク側装置により送信される送信パラメータセットのものである１つの値グループを受信することと、
前記値グループは前記送信パラメータセットに対してプリセットされる少なくとも２つの値グループから前記ネットワーク側装置により選択され、前記少なくとも２つの値グループの各値グループは前記送信パラメータセットの各送信パラメータの値を含み、
前記送信パラメータセットに含まれる送信パラメータは、送信電力、送信電力オフセット、送信確率重み、送信周期、再送信量、変調・符号化方式（ＭＣＳ）レベル、及びリソースプール構成パラメータのうち少なくとも１つを含み、
前記送信パラメータセットの少なくとも１つの送信パラメータは少なくとも２つの値を有し、
前記端末が、前記送信パラメータセットの前記受信した値グループに基づき通信データを送信することとを含む、
方法。
【請求項５】
前記方法は、
端末が、ネットワーク側装置により送信される、送信パラメータセットのものである１つの値グループを受信する前に、
前記端末が、サイドリンク輻輳情報を送信することをさらに含む、
請求項４に記載の方法。
【請求項６】
前記方法は、
前記端末が、前記送信パラメータセットの前記受信した値グループに基づき通信データを送信することの前に、
前記端末が、前記ネットワーク側装置により送信された送信要求セットを受信することを含み、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項４または５に記載の方法。
【請求項７】
通信方法であって、
端末が、送信パラメータセットに対してプリセットされる少なくとも２つの値グループから１つの値グループを選択することであって、前記少なくとも２つの値グループの各値グループは前記送信パラメータセットの各送信パラメータの値を含み、
前記送信パラメータセットに含まれる送信パラメータは、送信電力、送信電力オフセット、送信確率重み、送信周期、再送信量、変調・符号化方式（ＭＣＳ）レベル、及びリソースプール構成パラメータのうち少なくとも１つを含み、
前記送信パラメータセットの少なくとも１つの送信パラメータは少なくとも２つの値を有し、
前記端末が、前記送信パラメータセットの前記値グループに基づき通信データを送信することとを含む、
方法。
【請求項８】
端末が、送信パラメータセットに対してプリセットされた少なくとも２つの値グループから１つの値グループを選択することの前に、
前記端末が、サイドリンクの状態を測定することと、
測定結果に基づき、前記サイドリンクが輻輳状態にあるか判定することとを含む、
請求項７に記載の方法。
【請求項９】
端末が、送信パラメータセットに対してプリセットされた少なくとも２つの値グループから１つの値グループを選択することは、
前記端末が、事前設定された送信要求セットに基づいて、前記送信パラメータセットに対してプリセットされた前記少なくとも２つの値グループから前記値グループを選択することを含み、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項７または８に記載の方法。
【請求項１０】
送信パラメータセットに対してプリセットされた少なくとも２つの値グループから１つの値グループを選択するように構成される処理部と、
前記処理部により選択される前記値グループを送信するように構成される送信部と、
前記少なくとも２つの値グループの各値グループは、前記送信パラメータセットの各送信パラメータの値を含み、
前記送信パラメータセットに含まれる送信パラメータは、送信電力、送信電力オフセット、送信確率重み、送信周期、再送信量、変調・符号化方式（ＭＣＳ）レベル、及びリソースプール構成パラメータのうち少なくとも１つを含み、
前記送信パラメータセットの少なくとも１つの送信パラメータは少なくとも２つの値を有する、
ネットワーク側装置。
【請求項１１】
前記ネットワーク側装置はさらに受信部を有し、
前記受信部は、前記処理部が前記送信パラメータセットの前記少なくとも２つの値グループから前記値グループを選択する前に、サイドリンク輻輳情報を取得するように構成される、
請求項１０に記載のネットワーク側装置。
【請求項１２】
前記送信部はさらに、
前記処理部が前記送信パラメータセットのプリセットされた前記少なくとも２つの値グループから前記値グループを選択した後に、送信要求セットを送信するように構成され、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項１０または１１に記載のネットワーク側装置。
【請求項１３】
ネットワーク側装置により送信される、送信パラメータセットのものである１つの値グループを受信するように構成される受信部であって、前記値グループは前記送信パラメータセットに対してプリセットされる少なくとも２つの値グループから前記ネットワーク側装置により選択され、
前記送信パラメータセットに含まれる送信パラメータは、送信電力、送信電力オフセット、送信確率重み、送信周期、再送信量、変調・符号化方式（ＭＣＳ）レベル、及びリソースプール構成パラメータのうち少なくとも１つを含み、
前記送信パラメータセットの少なくとも１つの送信パラメータは少なくとも２つの値を有する、受信部と、
前記受信部により受信される、前記送信パラメータセットのものである、前記値グループに基づき、通信データを送信するように構成される送信部とを有する、
端末。
【請求項１４】
前記送信部はさらに：
前記受信部が、前記ネットワーク側装置により送信される、前記送信パラメータセットのものである前記値グループを受信する前に、サイドリンク輻輳情報を送信するようにさらに構成される、
請求項１３に記載の端末。
【請求項１５】
前記送信部はさらに、
前記送信部が前記送信パラメータセットの前記受信された値グループに基づいて前記通信データを送信する前に、前記ネットワーク側装置により送信される送信要求セットを受信するように構成され、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項１３または１４に記載の端末。
【請求項１６】
送信パラメータセットに対してプリセットされた少なくとも２つの値グループから１つの値グループを選択するように構成される処理部と、
前記送信パラメータセットの前記値グループに基づき通信データを送信するように構成される送信部とを有し、
前記少なくとも２つの値グループの各値グループは、前記送信パラメータセットの各送信パラメータの値を含み、
前記送信パラメータセットに含まれる送信パラメータは、送信電力、送信電力オフセット、送信確率重み、送信周期、再送信量、変調・符号化方式（ＭＣＳ）レベル、及びリソースプール構成パラメータのうち少なくとも１つを含み、
前記送信パラメータセットの少なくとも１つの送信パラメータは少なくとも２つの値を有する、
端末。
【請求項１７】
前記処理部は、
前記送信パラメータセットに対してプリセットされた前記少なくとも２つの値グループから前記値グループを選択する前に、サイドリンクの状態を測定し、測定結果に基づいて、前記サイドリンクが輻輳状態であるか判定するようにさらに構成される、
請求項１６に記載の端末。
【請求項１８】
前記処理部は、前記送信パラメータセットに対してプリセットされた前記少なくとも２つの値グループから、前記値グループを、次のように選択するように特に構成され、
事前設定された送信要求セットに基づいて、前記送信パラメータセットに対してプリセットされた前記少なくとも２つの値グループから前記値グループを選択し、
前記送信要求セットは、データパケット長、送信遅延、送信レート、パケット損失レート、優先度、及びサービス品質クラス指標ＱＣＩレベルのうち少なくとも１つを含み、
前記送信要求セットの少なくとも１つの送信要求は少なくとも２つのレベルを有し、各送信要求レベルは前記送信パラメータセットの１つの値グループに対応する、
請求項１６または１７に記載の端末。
【手続補正２】
【補正対象書類名】明細書
【補正対象項目名】全文
【補正方法】変更
【補正の内容】
【発明の詳細な説明】
【技術分野】
【０００１】
本願は、２０１６年１月２７日に出願した、発明の名称を「ＣＯＭＭＵＮＩＣＡＴＩＯＮ  ＭＥＴＨＯＤ，  ＮＥＴＷＯＲＫ  ＳＩＤＥ  ＤＥＶＩＣＥ，  ＡＮＤ  ＴＥＲＭＩＮＡＬ」とした特許出願第ＰＣＴ／ＣＮ２０１６／０７２４０９号についての優先権を主張する。この出願はその全体がここに参照援用される。
【０００２】
本発明は、通信技術の分野に関し、特に、通信方法、ネットワーク側装置、及び端末に関する。
【背景技術】
【０００３】
通信技術の発達に伴い、様々なタイプの装置間通信、例えば、装置間（Ｄｅｖｉｃｅ  ｔｏ  Ｄｅｖｉｃｅ、Ｄ２Ｄ）通信、車両間（Ｖｅｈｉｃｌｅ  ｔｏ  Ｖｅｈｉｃｌｅ、Ｖ２Ｖ）通信、車両・インフラストラクチャ間（Ｖｅｈｉｃｌｅ−ｔｏ−Ｉｎｆｒａｓｔｒｕｃｔｕｒｅ、Ｖ２Ｉ）通信、及び車両・歩行者間通信が広く使われている。
【０００４】
装置間通信システムでは、端末はネットワーク側装置を利用せずに直接的に通信を行うことができる。ネットワーク側装置は、リソース設定、スケジューリング、及び調整などを実行し、端末間の直接通信を支援することができる。一般的に、ネットワーク側装置は、装置間通信データを送信するように、送信リソースプールを装置間通信端末に割り当てる。リソースプールは、時間・周波数リソースのグループのセットとして理解することができ、送信に利用されるリソースプールと受信に利用されるリソースプールとを含む。ネットワーク側装置は、ブロードキャストモードにおいて、様々なリソースプール、例えば、スケジューリングアサインメント（Ｓｃｈｅｄｕｌｉｎｇ  Ａｓｓｉｇｎｍｅｎｔ、ＳＡ）リソースプール及びデータ（ｄａｔａ）リソースプールを構成し、各リソースプールは一定周期を有する。装置間通信端末は、２つのモードで、ネットワーク側装置により割り当てられたリソースプール中の時間・周波数リソースを利用することができる。あるモードでは、装置間通信端末は、ネットワーク側装置によりリソースプールから各装置間通信端末に割り当てられる、決められた時間・周波数リソースを利用する。別のモードでは、装置間通信端末は自律的かつランダムに、リソースプールから時間・周波数リソースを選択する。リソースプールはネットワーク側で設定され、又は事前構成される。装置間通信端末は、上記の２つのモードにおいてリソースプールから時間・周波数リソースを選択し、次いで、そのリソースプールの一定周期に基づき装置間通信データを送信する。
【０００５】
端末間通信において、特にＩｎｔｅｒｎｅｔ  ｏｆ  Ｖｅｈｉｃｌｅｓ通信システムにおいて、データパケットは周期的に送信され、各データパケットは複数回にわたり再送信され、送信信頼性を向上し、カバレッジを拡大している。送信パラメータを調節する現在のメカニズムでは、調節可能な送信パラメータが限られているため、かかるタイプのサービスにはより細かい調節を行えない。結果として、送信性能が低下する現象が発生する。
【発明の概要】
【０００６】
本発明の実施形態は、より効率的なデータ送信方法を提供し、それにより送信性能を向上させる通信方法、ネットワーク側装置及び端末を提供する。
【０００７】
第１の態様によると、通信方法が提供され、ネットワーク側装置は送信パラメータセットの各送信パラメータの値を設定する；送信パラメータセットの少なくとも１つの送信パラメータは少なくとも２つのプリセットされた値を有する；一以上の送信パラメータの様々な値は、送信パラメータセットの少なくとも２つの値グループを形成し；少なくとも２つの値グループの各値グループは、送信パラメータセットの各送信パラメータの値を含み；送信パラメータセットの少なくとも１つの送信パラメータは少なくとも２つの値を有し；１つの送信パラメータセットは、異なる時点における異なる値を有しても良く；ネットワーク側装置は、送信パラメータセットの値として、少なくとも２つの値グループから１つの値グループを選択し、その値グループを送信し、端末は、送信パラメータセットのものであり、ネットワーク側装置により送信される値グループを受信し、受信された送信パラメータセットの値グループに基づいて通信データを送信する。本方法は、別のシステム状態やサービス要求に適用して、送信性能を改善できる。
【０００８】
本装置の一実施形態では、上記の送信パラメータセットに含まれる送信パラメータは、送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータのうち一以上を含み；リソースプール構成パラメータは、リソースプール周期、リソースプールオフセット、及び時間・周波数リソース情報などを含む。一以上の送信パラメータが送信パラメータセットを形成する。送信パラメータは、上記の送信パラメータを含むが、それに限定されない。
【０００９】
可能性のあるデザインでは、ネットワーク側装置は、送信パラメータセットの値を選択する前に、サイドリンク輻輳情報を取得し、そのサイドリンク輻輳情報に基づいて値を選択し、輻輳を緩和する。
【００１０】
他の可能性のあるデザインでは、ネットワーク側装置は、送信要求セットに基づいて値グループを選択することができ、ここで送信要求セット内の少なくとも１つの送信要求は少なくとも２つのレベルを有し、異なる送信要求レベルは異なる値グループに対応し；そしてネットワーク側装置は、送信要求セットと、送信要求セットに対応する送信パラメータの値とを送信し、異なる送信要求に特有の差別化された送信を実現することができるようにする。
【００１１】
送信要求セットは、データパケット長、送信遅延、送信レート、パケット損失レート、優先度、及びサービス品質クラス指標（ＱｏＳ  ｃｌａｓｓ  ｉｄｅｎｔｉｆｉｅｒ、ＱＣＩ）レベルのうち一以上を含む。前述の送信要求のうちの１つ以上が送信要求セットを形成し、１つ以上の送信要求の異なる値が複数の送信要求レベルの複数のグループを形成する。
【００１２】
第２の態様によると、端末が送信パラメータセットに対してプリセットされた少なくとも２つの値グループから１つの値グループを取得する通信方法が提供され；端末は、送信パラメータセットの値のグループに基づき通信データを送信する。１つの送信パラメータセットは、異なる時点における異なる値を有しても良い。それゆえ、本方法は、別のシステム状態やサービス要求に適用して、送信性能を改善できる。
【００１３】
端末は、ネットワーク側装置から送信パラメータセットの値のグループを取得してもよく、または端末は、送信パラメータセットに対してプリセットされた少なくとも２つの値のグループから値グループを選択してもよい。端末は、送信端として機能する端末として理解することができる。少なくとも２つの値グループの各値グループは、送信パラメータセットの各送信パラメータの値を含む。送信パラメータセットに含まれる送信パラメータは、送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータ；及びリソースプール構成パラメータは、リソースプール周期、リソースプールオフセット、時間・周波数リソース情報のうち少なくとも１つを含む。送信パラメータセットの少なくとも１つの送信パラメータは少なくとも２つの値を有する、
【００１４】
可能性のあるデザインでは、送信パラメータセットの値のグループは、サイドリンク輻輳情報に基づき、少なくとも２つのプリセットされた、値のグループから選択される１つの、値のグループであってもよい。
【００１５】
端末は、サイドリンクの状態を測定し、例えば、干渉レベル、エネルギーレベル、基準信号受信電力（Ｒｅｆｅｒｅｎｃｅｅ  Ｓｉｇｎａｌ  Ｒｅｃｅｉｖｉｎｇ  Ｐｏｗｅｒ、ＲＳＲＰ）値、またはリソース使用量であってもよく；測定結果に基づき、サイドリンクが輻輳状態にあるか判定する。例えば、端末は、サイドリンクのリソース使用量が閾値を超えているかどうか、例えば、リソース使用量が５０％または８０％を超えているかどうかを判定し；閾値を超えた場合、サイドリンクが輻輳しているとみなされる；超えなければ、サイドリンクは輻輳していない。サイドリンクが輻輳しており、送信パラメータセットの値のグループが、少なくとも２つの事前設定された、値のグループから端末によって選択される１つの、値のグループである場合、端末は、サイドリンク輻輳情報に基づいて、少なくとも２つの事前設定された、値のグループから値のグループを選択することができる。
【００１６】
サイドリンクが輻輳しており、送信パラメータセットの値のグループがネットワーク側装置から取得される場合、端末は、送信パラメータセットのものであり、ネットワーク側装置によって送信された値のグループを受信する前に、サイドリンク輻輳情報を送信し、サイドリンク輻輳情報に基づいて送信パラメータセットの受信値を選択するようにして、輻輳を緩和する。
【００１７】
他の可能性のあるデザインでは、送信パラメータセットの値のグループは、送信要求セットに基づいて、少なくとも２つのプリセットされた、値のグループから選択される１つの、値のグループであってもよい。送信要求セットは、データパケット長、送信遅延、送信レート、パケット損失レート、優先度、及び複数のサービス品質クラス指標ＱＣＩレベルのうち少なくとも１つを含み；送信要求セット中の少なくとも１つの送信要求は少なくとも２つのレベルを有し、各送信要求レベルは、送信パラメータセットの１つの、値のグループに対応し、様々な送信要求に特有の差別化された送信を実施できる。
【００１８】
任意的に、送信パラメータセットの値のグループがネットワーク側装置から取得された場合、端末は、ネットワーク側装置によって送信された送信要求セットを受信し、送信要求セットに対応する送信パラメータセットの値に基づいてデータを送信する。例えば、端末がネットワーク側装置から送信パラメータセット中の送信パラメータ、すなわち送信周期と、その送信周期の値を取得する場合、データパケット長が３００バイト以上である大きいデータパケットの送信周期は５００ｍｓであり、データパケット長が３００バイトより少ない小さいデータパケットは送信周期１００ｍｓであり、ネットワーク側装置により送信され、端末により受信される送信要求セットは、データパケット長を含み、端末は、５００ｍｓの間隔で、データパケット長が３００バイト以上である大きいデータパケットを送信し、１００ｍｓの間隔で、データパケット長が３００バイト未満の小さいデータパケットを送信する。
【００１９】
任意的に、送信パラメータセットの値のグループが、少なくとも２つの事前設定された値のグループから端末によって選択された１つの、値のグループである場合、端末は、予め設定された送信要求セットに基づいて、送信パラメータセットに対してプリセットされた少なくとも２つの、値のグループから値のグループを選択する。
【００２０】
第３の態様によると、ネットワーク側装置が提供される。ネットワーク側装置は、上述した方法デザインにおいてネットワーク側装置を実施する機能を有し、その機能は、ハードウェアにより実現されてもよいし、ハードウェアにより対応するソフトウェアを実行することによって実現されてもよい。ハードウェアまたはソフトウェアは、前述の機能に対応する１つまたは複数のモジュールを含む。このモジュールはハードウェア及び／又はソフトウェアであってもよい。例えば、ネットワーク側装置は、処理部と送信部とを含む。処理部は、送信パラメータセットに対してプリセットされた少なくとも２つの、値のグループから１つの、値のグループを選択するように構成される。送信部は、処理部により選択される値のグループを送信するように構成される。
【００２１】
送信パラメータセットに含まれる送信パラメータは、送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータ；及びリソースプール構成パラメータは、リソースプール周期、リソースプールオフセット、時間・周波数リソース情報のうち少なくとも１つを含む。送信パラメータセットの少なくとも１つの送信パラメータは少なくとも２つの値を有する。１つの送信パラメータセットは、異なる時点における異なる値を有しても良い。それゆえ、ネットワーク側装置は、別のシステム状態やサービス要求に適応することができ、送信性能を改善できる。
【００２２】
可能性のあるデザインでは、ネットワーク側装置は受信部をさらに含む。処理部は、送信パラメータセットの少なくとも２つのプリセットされた、値のグループから、値のグループを選択する前に、サイドリンク輻輳情報を取得し、そのサイドリンク輻輳情報に基づいて値を選択し、輻輳を緩和するように構成される。
【００２３】
他の可能性のあるデザインでは、送信部は、処理部が送信パラメータセットの少なくとも２つのプリセットされた、値のグループから、値のグループを選択した後に、送信要求セットを送信するようにさらに構成される。送信要求セットは、データパケット長、送信遅延、送信レート、パケット損失レート、優先度、及び複数のサービス品質クラス指標ＱＣＩレベルのうち少なくとも１つを含み；送信要求セット中の少なくとも１つの送信要求は少なくとも２つのレベルを有し；各送信要求レベルは、送信パラメータセットの１つの、値のグループに対応し、様々な送信要求に特有の差別化された送信を実施できる。
【００２４】
第４の態様によると、端末が提供される。端末は、ネットワーク側装置から送信パラメータセットの１つの、値のグループを取得する前述の方法デザインにおける端末の機能を有し、その機能は、ハードウェアにより実施されてもよいし、対応するソフトウェアがハードウェアにより実行されることによって実施されてもよい。ハードウェアまたはソフトウェアは、前述の機能に対応する１つまたは複数のモジュールを含む。このモジュールはソフトウェア及び／又はハードウェアであってもよい。例えば、端末は受信部と送信部とを含む。受信部は、送信パラメータセットのものである、ネットワーク側装置により送信される、値のグループを受信するように構成される。  値のグループは、ネットワーク側装置により、送信パラメータセットに対してプリセットされた、少なくとも２つの、値のグループから選択され；送信パラメータセットに含まれる送信パラメータは、送信電力、送信電力オフセット、送信確率重み、送信周期、再送信量、変調・符号化方式ＭＣＳ（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータのうち少なくとも１つを含み；前記送信パラメータセットの少なくとも１つの送信パラメータは少なくとも２つの値を有する。送信部は、送信パラメータセットのものであり、受信部により受信される値のグループに基づき、通信データを送信するように構成される。１つの送信パラメータセットは、異なる時点における異なる値を有しても良い。それゆえ、端末は、別のシステム状態やサービス要求に適用して、送信性能を改善できる。
【００２５】
可能性のあるデザインでは、受信部は、送信パラメータセットのものであり、ネットワーク側装置により送信される値のグループを受信する前に、サイドリンク輻輳情報を送信し、受信された送信パラメータセットの値が、サイドリンク輻輳情報に基づいて選択され、輻輳を緩和するようにさらに構成される。
【００２６】
他の可能性のあるデザインでは、受信部は、送信部が送信パラメータセットの受信された値のグループに基づいて通信データを送信する前に、ネットワーク側装置により送信される送信要求セットを受信するようにさらに構成される。送信要求セットは、データパケット長、送信遅延、送信レート、パケット損失レート、優先度、及び複数のサービス品質クラス指標ＱＣＩレベルのうち少なくとも１つを含み；送信要求セット中の少なくとも１つの送信要求は少なくとも２つのレベルを有し；各送信要求レベルは、送信パラメータセットの１つの、値のグループに対応し、様々な送信要求に特有の差別化された送信を実施できる。
【００２７】
第５の態様によると、端末が提供される。端末は、少なくとも２つの事前設定された値のグループから送信パラメータセットの１つの、値のグループを選択する前述の方法デザインにおける端末の機能を有し、その機能は、ハードウェアにより実施されてもよいし、対応するソフトウェアがハードウェアにより実行されることによって実施されてもよい。ハードウェアまたはソフトウェアは、前述の機能に対応する１つまたは複数のモジュールを含む。このモジュールはソフトウェア及び／又はハードウェアであってもよい。例えば、端末は処理部と送信部とを含む。処理部は、送信パラメータセットに対してプリセットされた少なくとも２つの、値のグループから１つの、値のグループを選択するように構成される。送信部は、送信パラメータセットの値のグループに基づき、通信データを送信するように構成される。
【００２８】
少なくとも２つの値グループの各値グループは、送信パラメータセットの各送信パラメータの値を含み；前記送信パラメータセットの少なくとも１つの送信パラメータは少なくとも２つの値を有する。
【００２９】
送信パラメータセットに含まれる送信パラメータは、送信電力、送信電力オフセット、送信確率重み、送信周期、再送信量、変調・符号化方式ＭＣＳレベル、及びリソースプール構成パラメータ；及びリソースプール構成パラメータは、リソースプール周期、リソースプールオフセット、時間・周波数リソース情報のうち少なくとも１つを含む。
【００３０】
可能性のあるデザインでは、処理部は、送信パラメータセットに対してプリセットされた少なくとも２つの、値のグループから値のグループを選択する前に、サイドリンクの状態を測定し、測定結果に基づいて、サイドリンクが輻輳状態であるか判定するようにさらに構成される。
【００３１】
他の可能性のあるデザインでは、前記処理部は、前記送信パラメータセットに対してプリセットされた前記少なくとも２つの値グループから、前記値グループを、次のように、事前設定された送信要求セットに基づいて、送信パラメータセットに対してプリセットされた少なくとも２つの、値のグループから、値のグループを選択するように特に構成され、送信要求セットは、データパケット長、送信遅延、送信レート、パケット損失レート、優先度、及び複数のサービス品質クラス指標ＱＣＩレベルのうち少なくとも１つを含み、送信要求セット中の少なくとも１つの送信要求は少なくとも２つのレベルを有し；各送信要求レベルは送信パラメータセットの１つの、値のグループに対応するように選択される。
【図面の簡単な説明】
【００３２】
【図１】本発明の一実施形態が適用可能であり、端末間の直接通信のものであるシナリオを示す概略図である。
【００３３】
【図２】本発明の一実施形態によるネットワーク側装置を示す概略的構成図である。
【００３４】
【図３Ａ】本発明の一実施形態によるネットワーク側装置を示す他の概略的構成図である。
【図３Ｂ】本発明の一実施形態によるネットワーク側装置を示す他の概略的構成図である。
【００３５】
【図４】本発明の一実施形態による端末を示す概略的構成図である。
【００３６】
【図５】本発明の一実施形態による端末を示す他の概略的構成図である。
【００３７】
【図６】本発明の一実施形態による他の端末を示す概略的構成図である。
【００３８】
【図７】本発明の一実施形態による他の端末を示す他の概略的構成図である。
【００３９】
【図８】本発明の一実施形態による通信方法を示すフローチャートである。
【００４０】
【図９】本発明の一実施形態による通信方法を示す他のフローチャートである。
【００４１】
【図１０】本発明の一実施形態による通信方法を示すさらに他のフローチャートである。
【００４２】
【図１１】本発明の一実施形態による通信方法を示すさらに他のフローチャートである。
【００４３】
【図１２】本発明の一実施形態による通信方法を示すさらに他のフローチャートである。
【発明を実施するための形態】
【００４４】
以下、本発明の実施形態における添付図面を参照して本発明の実施形態における技術的解決策を詳細に説明する。
【００４５】
本発明の実施形態で提供される通信方法は、例えば、端末対端末（Ｄｅｖｉｃｅ  ｔｏ  Ｄｅｖｉｃｅ、Ｄ２Ｄ）通信シナリオ、または車両対車両（Ｖｅｈｉｃｌｅ  ｔｏ  Ｖｅｈｉｃｌｅ、Ｖ２Ｖ）通信シナリオ、または車両対エブリシング（Ｖ２Ｘ）通信シナリオのような２つの装置間の直接通信の通信シナリオに適用することができる。本発明の実施形態では、直接通信を行う装置は、無線通信機能を有する様々な携帯型装置、車載機器、ウェアラブル装置、計算装置、無線モデムに接続された他の処理装置、様々な形態のユーザ機器（Ｕｓｅｒ  Ｅｑｕｉｐｍｅｎｔ、ＵＥ）、移動局（Ｍｏｂｉｌｅ  Ｓｔａｔｉｏｎ、ＭＳ）、端末（ｔｅｒｍｉｎａｌ）、端末装置（Ｔｅｒｍｉｎａｌ  Ｅｑｕｉｐｍｅｎｔ）を含んでもよい。説明を容易にするため、本発明の実施形態では、直接通信を行う装置は以下、端末と言う。
【００４６】
図１は端末間の直接通信シナリオを示す概略図である。ネットワーク側装置は、端末１に対するデータ送信のための様々な送信パラメータを設定し、端末１は、データ送信器として機能し、端末２および端末３との端末間通信を行う。本発明の実施形態において、ネットワーク側装置は、無線アクセスネットワークに配備され、端末に対して無線通信機能を提供する装置であり、例えば、基地局（ｂａｓｅ  ｓｔａｔｉｏｎ、ＢＳ）であってもよく、マクロ基地局、マイクロ基地局、中継局、および様々な形態のアクセスポイントを含み得る。異なる無線アクセス技術を使用するシステムでは、基地局の機能を有する装置は、様々な名称で呼ばれ、例えば、ロングタームエボリューション（Ｌｏｎｇ  Ｔｅｒｍ  Ｅｖｏｌｕｔｉｏｎ、ＬＴＥ）ネットワークでは、装置は、進化したノードＢ（ｅｖｏｌｖｅｄ  ＮｏｄｅＢ、略してｅＮＢまたはｅＮｏｄｅＢ）と呼ばれ、第３世代の３Ｇネットワークでは、装置はノードＢ（Ｎｏｄｅ  Ｂ）と呼ばれる。
【００４７】
ネットワーク側装置と端末との間の通信のためのリンクは、アップリンクとダウンリンクであり、端末間のリンクはサイドリンクである。端末間通信において、ネットワーク側装置は、アップリンクおよびダウンリンクを使用してリソースプールを設定するシグナリングを送信し、またはアップリンクおよびダウンリンクを使用して送信のための特定の時間周波数リソースと送信端として機能する端末の送信パラメータを設定し、端末間通信を制御する制御シグナリングを送信することができる。通信システムにおいて比較的多数の端末がＤ２Ｄ通信データを送信する必要があるが、その通信システムには送信に利用可能な十分なリソースがない場合、送信遅延が比較的大きくなるか、または送信ビット誤り率が比較的高くなる。その結果、システム性能は低下する。あるいは、各端末がネットワーク側に設定されたリソースプールから送信リソースをランダムに選択してデータを送信する場合、通信システムにおいて比較的多数の端末がＤ２Ｄ通信データを送信する必要がある場合、送信競合を起こす確率が増加する。その結果、送信性能は低下する。
【００４８】
本発明の実施形態では、ネットワーク側装置は送信パラメータセットの少なくとも２つの、値のグループを設定する。送信パラメータセットは、少なくとも１つの要素を含む。送信パラメータセットが１つの要素を含むとき、すなわち１つのアイテムを含むとき、少なくとも２つの、値のグループのうちの値の各グループは、そのアイテムに対応する値を含む。送信パラメータセットが２つ以上の要素を含むとき、すなわち２つ以上のアイテムを含むとき、少なくとも２つの、値のグループのうちの値の各グループは、送信セット中の様々なアイテムにそれぞれ対応する複数の値を含む。１つの送信パラメータセットは、異なる時点における異なる値を有してもよく、ネットワーク側装置は少なくとも２つの、値のグループから１つの、値のグループを、送信パラメータセットの値として選択し、その値のグループを送信する。本発明は、別のシステム状態やサービス要求に適応して、送信性能を改善できる。
【００４９】
本発明では、本発明の実施形態で提供される通信方法と装置とを、具体的な実施形態を参照して以下に詳細に説明する。
【００５０】
本発明の実施形態は、ネットワーク側装置を提供する。ネットワーク側装置は、送信パラメータセットの少なくとも２つのプリセットされた、値のグループから、１つの、値のグループを選択して、選択された値のグループを送信する。
【００５１】
ネットワーク側装置の機能はハードウェアにより実装されてもよいし、対応するソフトウェアをハードウェアにより実行することにより実装してもよい。
【００５２】
図２は、本発明の一実施形態によるネットワーク側装置１００を示す概略的構成図である。図２に示すように、ネットワーク側装置１００は、送信器／受信器１０１と、コントローラ／プロセッサ１０２と、メモリ１０３と、通信部１０４とを含む。本発明のこの実施形態において、メモリ１０３は、コントローラ／プロセッサ１０２により実行されるプログラムコードを記憶するように構成される；コントローラ／プロセッサ１０２は、メモリ１０３に記憶されたプログラムを起動し、送信パラメータセットの少なくとも２つのプリセットされた、値のグループから、１つの、値のグループを選択し、送信器／受信器１０１を用いて、送信パラメータに対して選択された値のグループを送信するように構成され；送信器／受信器１０１は、送信パラメータに対して選択された値のグループを送信するように構成され；通信部１０４は、ネットワーク側装置と他のネットワークエンティティとの間の通信をサポートするように構成される。
【００５３】
送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、リソースプール構成パラメータは、リソースプール周期、リソースプールオフセット、及び時間・周波数リソース情報を含む。
【００５４】
少なくとも２つの、値のグループのうち値の各グループは、送信パラメータセット中の各送信パラメータの値を含み；送信パラメータセット中の少なくとも１つの送信パラメータは少なくとも２つの値を有する。１つの送信パラメータセットは、異なる時点における異なる値を有しても良い。それゆえ、ネットワーク側装置は、別のシステム状態やサービス要求に適応することができ、送信性能を改善できる。
【００５５】
任意的に、ネットワーク側装置１００のコントローラ／プロセッサ１０２は、送信器／受信器１０１を用いてサイドリンク輻輳情報を取得し、サイドリンク輻輳情報に基づいて値を選択して、輻輳を緩和するようにさらに構成される。
【００５６】
任意的に、ネットワーク側装置１００のコントローラ／プロセッサ１０２は、送信器／受信器１０１を用いて送信要求セットを送信するようにさらに構成される。送信要求セットは、データパケット長、送信遅延、送信レート、パケット損失レート、優先度、及びＱＣＩレベルのうち少なくとも１つを含み；送信要求セット中の少なくとも１つの送信要求は少なくとも２つのレベルを有し；各送信要求レベルは、送信パラメータセットの１つの、値のグループに対応し、様々な送信要求に特有の差別化された送信を実施できる。
【００５７】
本発明のこの実施形態におけるネットワーク側装置において、対応する機能を実行するのに用いられるハードウェアまたはソフトウェアは、上記機能に対応する一以上のモジュールを含む。このモジュールはソフトウェア及び／又はハードウェアであってもよい。
【００５８】
図３Ａは、本発明の一実施形態によるネットワーク側装置１０００を示す概略的構成図である。図３Ａに示すように、ネットワーク側装置１００は、処理部１００１と送信部１００２とを含む。処理部１００１は、送信パラメータセットに対してプリセットされた少なくとも２つの、値のグループから１つの、値のグループを選択するように構成される。送信部１００２は、処理部１００１により選択される値のグループを送信するように構成される。
【００５９】
送信パラメータセットは、上記の実施形態において説明した送信パラメータセットであってもよく、例えば、ネットワーク側装置１００に用いられる送信パラメータセットであってもよい。１つの送信パラメータセットは、異なる時点における異なる値を有しても良い。それゆえ、ネットワーク側装置は、別のシステム状態やサービス要求に適応することができ、送信性能を改善できる。
【００６０】
可能性のあるデザインでは、ネットワーク側装置１０００は、図３Ｂに示すように、受信部１００３をさらに含む。  受信部１００３は、処理部１００１が送信パラメータセットの少なくとも２つのプリセットされた、値のグループから値のグループを選択する前に、サイドリンク輻輳情報を取得し、そのサイドリンク輻輳情報に基づいて値を選択し、輻輳を緩和するように構成される。
【００６１】
本発明のこの実施形態では、送信部１００２は、処理部１００１が送信パラメータセットの少なくとも２つのプリセットされた、値のグループから、値のグループを選択した後に、送信要求セットを送信するように構成される。
【００６２】
送信要求セットは、上記の実施形態において説明した送信要求セットであってもよく、例えば、ネットワーク側装置１００に用いられる送信要求セットであってもよい。送信要求セットの少なくとも１つの送信要求は、少なくとも２つのレベルを有し、各送信要求レベルは送信パラメータセットの１つの、値のグループに対応し、様々な送信要求に対して特有の差別化された送信を実施することができる。
【００６３】
本発明の実施形態は、さらに端末を提供する。端末は、送信パラメータセットのものである、ネットワーク側装置により送信される１つの、値のグループを受信し、送信パラメータセットの受信された値のグループに基づいて通信データを送信する機能を有する。
【００６４】
本発明のこの実施形態における端末の機能はハードウェアにより実装されてもよいし、対応するソフトウェアをハードウェアにより実行することにより実装されてもよい。
【００６５】
図４は、本発明の一実施形態による端末２００を示す概略的構成図である。図４に示すように、端末２００は送信器２０１と、受信器２０２と、コントローラ／プロセッサ２０３と、メモリ２０４とを含む。
【００６６】
メモリ２０４は、コントローラ／プロセッサ２０３により実行されるプログラムコードを記憶するように構成される。
【００６７】
コントローラ／プロセッサ２０３は、メモリ２０４に記憶されたプログラムを起動し、受信器２０２を用いて、送信パラメータセットのものであり、ネットワーク側装置により送信された１つの、値のグループを受信し、送信器２０１を用いて送信パラメータセットの受信された値のグループに基づき、送信データを送信するように構成される。
【００６８】
値のグループは、ネットワーク側装置により、送信パラメータセットに対してプリセットされた少なくとも２つの、値のグループから選択される。送信パラメータセットは、上記の実施形態において説明した送信パラメータセットであってもよく、例えば、ネットワーク側装置１００に用いられる送信パラメータセットであってもよい。１つの送信パラメータセットは、異なる時点における異なる値を有しても良い。それゆえ、端末は、別のシステム状態やサービス要求に適用して、送信性能を改善できる。
【００６９】
受信器２０２は、送信パラメータセットのものである、ネットワーク側装置により送信される値のグループを受信するように構成される。
【００７０】
送信器２０１は、送信パラメータセットの受信された値のグループに基づき、通信データを送信するように構成される。
【００７１】
任意的に、端末２００のコントローラ／プロセッサ２０３は、送信パラメータセットのものであり、ネットワーク側装置により送信される値のグループを受信する前に、送信器２０１を用いてサイドリンク輻輳情報を送信し、送信パラメータセットの受信される値が、サイドリンク輻輳情報に基づいて選択され、輻輳を緩和するように構成される。
【００７２】
任意的に、端末２００のコントローラ／プロセッサ２０３は、受信された送信パラメータセットの値のグループに基づいて通信データを送信する前に、受信器２０２を使用して、ネットワーク側装置によって送信された送信要求セットを受信し、異なる送信要求に特有の差別化された送信を実現するようにさらに構成される。
【００７３】
本発明のこの実施形態における端末において、対応する機能を実行するのに用いられるハードウェアまたはソフトウェアは、上記機能に対応する一以上のモジュールを含む。このモジュールはソフトウェア及び／又はハードウェアであってもよい。
【００７４】
図５は、本発明の一実施形態による端末２０００を示す概略的構成図である。図５に示したように、端末２０００は受信部２００１と送信部２００２とを含む。受信器２００１は、送信パラメータセットのものである、ネットワーク側装置により送信される値のグループを受信するように構成される。送信部２００２は、送信パラメータセットのものであり、受信部２００１により受信される値のグループに基づき、通信データを送信するように構成される。
【００７５】
値のグループは、ネットワーク側装置により、送信パラメータセットに対してプリセットされた少なくとも２つの、値のグループから選択される。送信パラメータセットは、上記の実施形態において説明した送信パラメータセットであってもよく、例えば、ネットワーク側装置１００に用いられる送信パラメータセットであってもよい。１つの送信パラメータセットは、異なる時点における異なる値を有しても良い。それゆえ、端末は、別のシステム状態やサービス要求に適用して、送信性能を改善できる。
【００７６】
任意的に、送信部２００２は、受信部２００１が、送信パラメータセットのものであり、ネットワーク側装置により送信される値のグループを受信する前に、サイドリンク輻輳情報を送信し、送信パラメータセットの受信される値が、サイドリンク輻輳情報に基づいて選択され、輻輳を緩和するようにさらに構成される。
【００７７】
任意的に、受信部２００１は、送信部２００２が送信パラメータセットの受信された値のグループに基づいて通信データを送信する前に、ネットワーク側装置により送信される送信要求セットを受信するようにさらに構成される。
【００７８】
送信要求セットは、上記の実施形態において説明した送信要求セットであってもよく、例えば、ネットワーク側装置１００に用いられる送信要求セットであってもよい。送信要求セットの少なくとも１つの送信要求は、少なくとも２つのレベルを有し、各送信要求レベルは送信パラメータセットの１つの、値のグループに対応し、様々な送信要求に対して特有の差別化された送信を実施することができる。
【００７９】
本発明の実施形態は、さらに他の端末を提供する。端末は、少なくとも２つの事前設定された、送信パラメータセットの複数の、値のグループから、１つの、値のグループを選択し、送信パラメータセットの値のグループに基づき通信データを送信する機能を有する。
【００８０】
本発明のこの実施形態における端末の機能はハードウェアにより実装されてもよいし、対応するソフトウェアをハードウェアにより実行することにより実装されてもよい。
【００８１】
図６は、本発明の一実施形態による他の端末装置３００を示す概略的構成図である。図６に示すように、端末３００は、送信器３０１と、コントローラ／プロセッサ３０２と、メモリ３０３とを含む。
【００８２】
メモリ３０３は、コントローラ／プロセッサ３０２により実行されるプログラムコードを記憶するように構成される。
【００８３】
コントローラ／プロセッサ３０２は、メモリ３０３に記憶されたプログラムを起動し、送信パラメータセットに対してプリセットされた少なくとも２つの、値のグループから、１つの、値のグループを選択し、送信器３０１を用いて、受信された送信パラメータの値のグループに基づき、通信データを送信するように構成される。
【００８４】
少なくとも２つの、値のグループのうち値の各グループは、送信パラメータセット中の各送信パラメータの値を含み；送信パラメータセット中の少なくとも１つの送信パラメータは少なくとも２つの値を有する。
【００８５】
送信パラメータセットに含まれる送信パラメータは、送信電力、送信電力オフセット、送信確率重み、送信周期、再送信量、変調・符号化方式ＭＣＳレベル、及びリソースプール構成パラメータのうち少なくとも１つを含み、リソースプール構成パラメータは、リソースプール周期、リソースプールオフセット、及び時間・周波数リソース情報を含む。
【００８６】
任意的に、端末３００のコントローラ／プロセッサ３０２は、送信パラメータセットに対してプリセットされた少なくとも２つの、値のグループから、値のグループを選択する前に、サイドリンクの状態を測定し、測定結果に基づいて、サイドリンクが輻輳状態であるか判定するようにさらに構成される。
【００８７】
任意的に、コントローラ／プロセッサ３０２は、送信パラメータセットに対してプリセットされた少なくとも２つの、値のグループから、値のグループを、次のように、事前設定された送信要求セットに基づいて、送信パラメータセットに対してプリセットされた少なくとも２つの、値のグループから、値のグループを選択するように構成され、送信要求セットは、データパケット長、送信遅延、送信レート、パケット損失レート、優先度、及び複数のサービス品質クラス指標ＱＣＩレベルのうち少なくとも１つを含み、送信要求セット中の少なくとも１つの送信要求は少なくとも２つのレベルを有し、各送信要求レベルは送信パラメータセットの１つの、値のグループに対応するように選択される。
【００８８】
本発明のこの実施形態における端末において、対応する機能を実行するのに用いられるハードウェアまたはソフトウェアは、上記機能に対応する一以上のモジュールを含む。このモジュールはソフトウェア及び／又はハードウェアであってもよい。
【００８９】
図７は、本発明の一実施形態による端末３０００を示す概略的構成図である。図７に示したように、端末３０００は処理部３００１と送信部３００２とを含む。処理部３００１は、送信パラメータセットに対してプリセットされた少なくとも２つの、値のグループから１つの、値のグループを選択するように構成される。送信部３００２は、送信パラメータセットの値のグループに基づき、通信データを送信するように構成される。
【００９０】
少なくとも２つの、値のグループのうち値の各グループは、送信パラメータセット中の各送信パラメータの値を含み；送信パラメータセット中の少なくとも１つの送信パラメータは少なくとも２つの値を有する。送信パラメータセットは、上記の実施形態において説明した送信パラメータセットであってもよく、例えば、ネットワーク側装置３００に用いられる送信パラメータセットであってもよい。１つの送信パラメータセットは、異なる時点における異なる値を有しても良い。それゆえ、端末は、別のシステム状態やサービス要求に適用して、送信性能を改善できる。
【００９１】
可能性のあるデザインでは、処理部３００１は、送信パラメータセットに対してプリセットされた少なくとも２つの、値のグループから、値のグループを選択する前に、サイドリンクの状態を測定し、測定結果に基づいて、サイドリンクが輻輳状態であるか判定するようにさらに構成される。
【００９２】
他の可能性のあるデザインでは、処理部３００１は、送信パラメータセットに対してプリセットされた少なくとも２つの、値のグループから、値のグループを、次のように選択するように特に構成される：事前設定された送信要求セットに基づいて、送信パラメータセットに対してプリセットされた少なくとも２つの、値のグループから、値のグループを選択し、送信要求セットは、データパケット長、送信遅延、送信レート、パケット損失レート、優先度、及び複数のサービス品質クラス指標ＱＣＩレベルのうち少なくとも１つを含み、送信要求セット中の少なくとも１つの送信要求は少なくとも２つのレベルを有し、各送信要求レベルは送信パラメータセットの１つの、値のグループに対応するように選択される。
【００９３】
留意点として、上記のネットワーク側装置及び端末のコントローラ／プロセッサは、一般的な中央処理装置（ＣＰＵ）、μプロセッサ、特定用途集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、または本発明のソリューション中のプログラムの実行を制御するように構成あれた一以上の集積回路であってもよい。コンピュータシステムに含まれる一以上のメモリは、静的情報および命令を格納することができる読み出し専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、または情報および命令を格納することができる別のタイプの動的記憶装置であってもよく、または磁気ディスク記憶装置であってもよい。これらのメモリはバスを用いてプロセッサに接続される。
【００９４】
言うまでもなく、上記の実施形態における添付した図面中のネットワーク側装置及び端末の構造は、ネットワーク側装置及び端末の単純化しただけのデザインであり、これに限定されない。実際の応用に際しては、ネットワーク側装置は、幾つの送信器、受信器、プロセッサ、コントローラ、メモリ、通信部などを含んでもよく、端末はコーダ、変調器、復調器、デコーダなどをさらに含んでもよい。
【００９５】
本発明の実施形態では、ネットワーク側装置及び端末による本発明の一実施形態における差別化された送信のための通信方法の実施を以下に詳細に説明する。
【００９６】
図８は、本発明の一実施形態による通信方法を示す概略的フローチャートである。図８に示すように、方法は次のステップを含む。
【００９７】
Ｓ１０１：ネットワーク側装置が、送信パラメータセットの少なくとも２つのプリセットされた、値のグループから、１つの、値のグループを選択する。
【００９８】
本発明のこの実施形態では、送信パラメータセットに含まれる送信パラメータは、次の送信パラメータのうち一以上を含んでもよい：送信電力、送信電力オフセット、送信確率重み、送信周期、再送信量、変調・符号化方式（Ｍｏｄｕｌａｔｉｏｎ  Ａｎｄ  Ｃｏｄｉｎｇ  Ｓｃｈｅｍｅ、ＭＣＳ）レベル、及びリソースプール構成パラメータ；及びリソースプール構成パラメータは、リソースプール周期、リソースプールオフセット、時間・周波数リソース情報などを含む。送信パラメータは、上記の送信パラメータを含むが、それに限定されない。
【００９９】
送信パラメータセットの少なくとも１つの送信パラメータは少なくとも２つのプリセット値を有する。一以上の送信パラメータが送信パラメータセットを形成する。一以上の送信パラメータの様々な値は、複数の、値のグループを形成する。値の各グループは、送信パラメータセット中の各送信パラメータの値を含む。例えば、送信パラメータセットが１つの送信パラメータを含む場合、すなわち送信電力を含む場合、送信電力が送信パラメータセットを形成し、送信電力は少なくとも２つの異なる値を有する。送信電力の各値は、送信パラメータセットの１つの、値のグループであり、送信電力の少なくとも２つの異なる値は、送信パラメータセットの少なくとも２つの、値のグループを形成する。パラメータセットが２つの送信パラメータ、すなわち送信電力および送信周期を含む場合、送信電力および送信周期が送信パラメータセットを形成する。送信電力および送信周期の値は、以下のとおりであってもよい：送信電力が少なくとも２つの値を有し、送信周期が１つの値を有する；または送信電力が１つの値を有し、送信周期が少なくとも２つの値を有する；または送信電力および送信周期の両方が少なくとも２つの値を有する。送信電力の値と送信周期の値との様々な組合せが、送信パラメータセットの複数の、値のグループを形成する。例えば、送信電力が少なくとも２つの値ＡおよびＢを有し、送信周期が１つの値Ｃを有する場合、送信パラメータセットに対して２つのグループの値がプリセットされてもよく、送信電力の値Ａおよび送信周期の値Ｃを他の、値のグループとして用い、送信電力の値Ｂと送信周期の値Ｃとを別の値のグループとして使用する。送信パラメータセットが３以上の送信パラメータを含む場合はこれと同様であり、詳細はここでは繰り返して説明しない。
【０１００】
本発明のこの実施形態では、送信パラメータセット内の送信パラメータについて、値を設定することができ、値を次のように選択することができる。
【０１０１】
送信電力のプリセット値は、少なくとも２つの値を含み、例えばＰ１とＰ２を含み、ネットワーク側装置は、少なくとも２つの値から１つの値を選択し、例えばＰ１とＰ２から値Ｐ１を選択することができる。
【０１０２】
代替的に、送信電力のプリセット値は、少なくとも２つの値を含み、例えばΔＰ１とΔＰ２を含み、ネットワーク側装置は、少なくとも２つの値から１つの値を選択し、例えばΔＰ１とΔＰ２から値ΔＰ１を選択することができる。
【０１０３】
あるいは、送信確率重みのプリセット設定値は、少なくとも２つの値を含み、例えばＸ１＝１およびＸ２＝０．５を含み、ネットワーク側装置は、少なくとも２つの値から１つの値を選択し、例えば、Ｘ１＝１およびＸ２＝０．５からＸ２＝０．５を選択してもよい（各データパケットの送信確率は０．５に低減される）。
【０１０４】
あるいは、送信周期のプリセット設定値は、少なくとも２つの値を含み、例えばＴ１＝１００ｍｓおよびＴ２＝２００ｍｓを含み、ネットワーク側装置は、少なくとも２つの値から１つの値を選択し、例えば、Ｔ１＝１００ｍｓおよびＴ２＝２００ｍｓからＴ１＝１００ｍｓを選択してもよい（各データパケットは１００ｍｓの間隔で送信される）。
【０１０５】
あるいは、再送信量のプリセット値は、少なくとも２つのパラメータを含み、例えばＮ１＝３、Ｎ２＝１、Ｎ３＝０を含み、ネットワーク側装置は、少なくとも２つの値から１つの値を選択し、例えば、Ｎ１＝３、Ｎ２＝１、Ｎ３＝０からＮ１＝３を選択することができる（すなわち、各データパケットは４回送信される：各データパケットは最初に１回送信され、次に３回再送信される、すなわちデータパケットは合計４回送信される）。
【０１０６】
あるいは、ＭＣＳレベルのプリセット値は、少なくとも２つの値を含み、例えば、ＭＣＳ＝０ないしＭＣＳ＝３１にそれぞれ対応する３２通りＭＣＳレベルを含み、ネットワーク側装置は、少なくとも２つの値から１つの値を選択し、例えば、３２通りのＭＣＳレベルからＭＣＳ＝６を選択することができる（各データパケットはＭＣＳレベル６で送信される）。
【０１０７】
あるいは、リソースプール構成パラメータのプリセット値は、少なくとも２つの、値のグループを含み、例えば、Ｃ１とＣ２を含む。少なくとも２つの、値のグループの、値の各グループは、リソースプール構成関連パラメータのグループである。たとえば、値Ｃ１に対応するリソースプールは、２０ミリ秒の周期と０のオフセットを持ち、リソースプール内の利用可能なサブフレームはすべてのサブフレームであり、利用可能な周波数領域リソースは、システム帯域幅に対応するすべての物理リソースブロックであり、値Ｃ２に対応するリソースプールは４０ｍｓの周期と０のオフセットを有し、利用可能なサブフレームはすべてのサブフレームであり、利用可能な周波数領域リソースは、システム帯域幅に対応する６つの物理リソースブロックである。ネットワーク側装置は、少なくとも２つの値から１つの値を選択し、例えばＣ１とＣ２からＣ１を選択することができる。
【０１０８】
本発明のこの実施形態では、送信パラメータセットが１つの送信パラメータを含む場合、少なくとも２つのプリセットされた、値のグループから１つの、値のグループを選択することは、前述の様々な送信パラメータのうちの１つの少なくとも２つの値のうち１つを選択するものちして理解できる。例えば、送信パラメータセットが送信電力を含み、上記の例のように送信電力に対して値が選択された場合、選択された値のグループはＰ１である。送信パラメータセットが複数の送信パラメータを含む場合、少なくとも２つのプリセットされた、値のグループから、１つの、値のグループを選択することは、上記の様々な送信パラメータのうち少なくとも２つの異なる値をランダムに組み合わせて、複数の、値のグループから１つのグループを選択することとして理解することができる。例えば、上述した例のように、送信パラメータセットが上記の全ての送信パラメータを含み、送信パラメータごとに値が選択された場合、選択された、値のグループは、Ｐ１、ΔＰ１、Ｘ２＝０．５、Ｔ１＝１００ｍｓ、Ｎ１＝３、ＭＣＳ＝６、Ｃ１である。
【０１０９】
本発明のこの実施形態では、ネットワーク側装置は、実際の要求に応じて、少なくとも２つの予め設定された、値のグループから、１つの、値のグループを選択することができる。
【０１１０】
Ｓ１０２：ネットワーク側装置が、選択された、値のグループを送信する。
【０１１１】
ネットワーク側装置は、ブロードキャストモードで送信パラメータを送信したり、無線リソース制御（Ｒａｄｉｏ  Ｒｅｓｏｕｒｃｅ  Ｃｏｎｔｒｏｌ；ＲＲＣ）シグナリングを使用して送信パラメータを送信したり、制御シグナリングを使用して送信パラメータを送信することができる。制御シグナリングは、共通制御シグナリングと特定ユーザ制御シグナリングとに分類される。
【０１１２】
ネットワーク側装置は、共通制御シグナリングを用いてブロードキャストモードで送信パラメータを送信し、セル内のすべての端末が同じパラメータを有するようにしてもよい。ネットワーク側装置は、異なる端末が異なるパラメータを有するように、ＲＲＣシグナリングまたは特定ユーザ制御シグナリングを使用してパラメータを送信する。
【０１１３】
例えば、ネットワーク側装置が再送信量としてＮ１＝３を選択し、ブロードキャストモードで再送信量として選択された値を送信する場合には、セル内の全端末が送信したデータが３回再送信される。ネットワーク側装置が、再送信量としてＮ１＝３、Ｎ２＝１を選択し、専用制御シグナリングを使用して、再送信量に対して選択された値を送信し、すなわち、専用制御シグナリングを使用して、再送信量Ｎ１を端末１に送信し、再送信量Ｎ２を端末２に送信する場合、端末１が送信したデータが３回再送信され、端末２によって送信されたデータは一度再送信される。
【０１１４】
Ｓ１０３：第１の端末は、選択された、値のグループを受信し、送信パラメータセットの受信した、値のグループに基づいて通信データを送信する。
【０１１５】
本発明のこの実施形態では、説明を容易にするために、送信端となる端末を第１の端末と呼び、受信端となる端末を第２の端末と呼ぶ。
【０１１６】
Ｓ１０４：第２の端末は、第１の端末によって送信された通信データを受信する。
【０１１７】
第１の端末によって送信された通信データを正しく受信するために、第２の端末は、いくつかの特定の送信パラメータ、例えばリソースプール構成情報を取得する必要がある。したがって、任意的に、以下のステップをさらに含むことができる：
【０１１８】
Ｓ１０５：第２の端末は送信パラメータを取得する。
【０１１９】
第２の端末は、必要な送信パラメータをネットワーク側装置から取得してもよいし、または必要な送信パラメータを第１の端末から取得してもよい。
【０１２０】
本発明のこの実施形態では、ネットワーク側装置は、同じ送信パラメータセットに対して少なくとも２つの、値のグループを事前設定し、少なくとも２つの、値のグループから、１つの、値のグループを送信パラメータセットの値として選択し、値のグループを送信する。１つの送信パラメータは、異なる時点で異なる値を有することができ、それによって送信性能が向上する。
【０１２１】
本発明のこの実施形態で提供される通信方法の典型的な適用シナリオは、２つの端末間の直接通信中に、サイドリンク（ｓｉｄｅｌｉｎｋ）上で輻輳が発生するシナリオであり得る。この場合、送信パラメータ用にプリセットされた少なくとも２つの、値のグループから値のグループを選択する前に、ネットワーク側装置は、サイドリンク輻輳情報を取得し、サイドリンク輻輳情報に基づいて値を選択し、輻輳を緩和する。実装プロセスを図９に示す。
【０１２２】
図９に示した方法手順において、Ｓ２０２、Ｓ２０３、Ｓ２０４、Ｓ２０５は、それぞれ図８のＳ１０１、Ｓ１０２、Ｓ１０３、Ｓ１０４と同じである。図８との違いは、送信パラメータセットの値を選択する前に、この方法はさらに、以下のステップを含むことである：
【０１２３】
Ｓ２０１：ネットワーク側装置は、サイドリンク輻輳情報を取得する。
【０１２４】
端末はサイドリンクでデータを送信する。複数の端末が送信するデータ量が比較的多い場合、データパケットの送信性能が低下する、すなわちデータパケットの受信精度が低下する。このような現象は輻輳と考えられる。サイドリンク輻輳情報は、端末によって測定され、報告され、ネットワーク側装置によって取得される、サイドリンクの干渉レベル、エネルギーレベル、リファレンス信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）値、リソース使用量などであってもよく、またはネットワーク側装置が測定したサイドリンクのリソース使用量が閾値を超えているかどうか、例えば、リソース使用量が５０％または８０％を超えているかどうかであってもよい。しきい値を超えた場合、サイドリンクが混雑していると考えられる。さもなければ、サイドリンクは輻輳していない。
【０１２５】
任意的に、図９は、ステップＳ１０５と同じステップＳ２０６を含み、すなわち、第２の端末が送信パラメータを取得するステップを含む。
【０１２６】
本発明のこの実施形態で提供される通信方法の別の典型的な適用シナリオは、異なる送信要求に特有の差別化された送信のシナリオであってもよい。ネットワーク側装置は、送信要求セットに基づいて１つの、値のグループを選択する。送信要求セットは、データパケット長、送信遅延、送信レート、パケット損失レート、優先度、およびサービス品質クラス識別子（ＱｏＳ  ｃｌａｓｓ  ｉｄｅｎｔｉｆｉｅｒ、ＱＣＩ）のうちの１つまたは複数を含むことができ、送信要求セット内の少なくとも１つの送信要求は、少なくとも２つのレベルを有する。前述の送信要求のうちの１つ以上が送信要求セットを形成し、１つ以上の送信要求の異なる値が複数の送信要求レベルの複数のグループを形成する。異なる送信要求レベルは異なる、値のグループに対応し、それにより異なる送信要求に特有の差別化された送信を実現する。
【０１２７】
図１０は、本発明の一実施形態による通信方法を示すさらに他の概略的フローチャートである。図１０に示すように、方法は次のステップを含む。
【０１２８】
Ｓ３０１：ネットワーク側装置が、送信要求セットに基づいて、送信パラメータセットの少なくとも２つのプリセットされた、値のグループから、１つの、値のグループを選択する。
【０１２９】
送信要求セットは、データパケット長、送信遅延、送信レート、パケット損失レート、優先度、およびＱＣＩのうちの１つまたは複数を含むことができ、送信要求は、上記の送信要求を含むが、これらに限定されない。
【０１３０】
前述の送信要求のそれぞれの異なる値は、送信要求の異なるレベルを形成する。例えば、データパケット長については、言うまでもなく、データパケット長の値が３００バイト以上のデータパケットと、データパケット長の値が３００バイト以下のデータパケットが、データパケット長の２つのレベルを形成する。送信要求セット内の少なくとも１つの送信要求は少なくとも２つのレベルを有し、異なる送信要求レベルは異なる値グループに対応する。例えば、送信要求セットが１つの送信要求を含む、すなわちデータパケット長を含む場合、データパケット長は送信要求セットを形成する。データパケット長は、少なくとも２つのレベルを有し、データパケット長の各レベルは、パラメータセットの１つの、値のグループに対応する。パラメータセットが２つの送信要求、すなわちデータパケット長および送信遅延を含む場合、データパケット長および送信遅延は送信要求セットを形成する。データパケット長および送信遅延のレベルは、以下のようになり得る。データパケットの長さは、少なくとも２つのレベルを有し、送信遅延は１つのレベルを有する。またはデータパケットの長さは１つのレベルを有し、送信遅延は少なくとも２つのレベルを有する。またはデータパケットの長さと送信遅延の両方が少なくとも２つのレベルを有する。データパケット長のレベルと送信遅延のレベルとの様々な組合せは、送信パラメータセットの異なる、値のグループにそれぞれ対応する。例えば、データパケット長がそれぞれ大きいデータパケットと小さいデータパケットの２つのレベルを有し、送信遅延がそれぞれ低遅延を必要とするサービスと高遅延を必要とするサービスの２つのレベルを有する場合、大きいデータパケットおよび低遅延を必要とするサービスは、送信パラメータセットの１つの、値のグループに対応し；大きいデータパケットおよび高遅延を必要とするサービスは、送信パラメータセットの１つの、値のグループに対応し；小さいデータパケットおよび低遅延を必要とするサービスは、送信パラメータセットの１つの、値のグループに対応し；小さいデータパケットおよび低遅延を必要とするサービスは、送信パラメータセットの１つの、値のグループに対応する。送信要求セットが３以上の送信要求を含む場合はこれと同様であり、詳細はここでは繰り返して説明しない。
【０１３１】
本発明のこの実施形態では、上記の送信要求の各々を以下に説明する。
【０１３２】
１．送信要求セットは、データパケット長を含む。
【０１３３】
本発明のこの実施形態では、ネットワーク側装置は、データパケットをデータパケット長に基づいて少なくとも２つのタイプのデータパケットに分類し、データパケットの各タイプに対して送信パラメータセットから送信パラメータを選択することができる。送信パラメータセットは、上記の実施形態において説明した送信パラメータセットであってもよく、例えば、Ｓ１０１で使用される送信パラメータセットであってもよい。
【０１３４】
例えば、本発明のこの実施形態では、ネットワーク側装置は、データパケットを２種類のデータパケットに分類することができる。データパケット長が３００バイト以上のデータパケットを大きいデータパケットと呼び、データパケット長が３００バイト未満のデータパケットを小さいデータパケットと呼ぶ。送信パラメータに対して特定の値が選択された場合、以下のようにしてもよい。
【０１３５】
ネットワーク側装置は、大きいデータパケットおよび小さいデータパケットについて送信パラメータ、すなわち送信電力を選択し、例えば送信電力に対してプリセットされた少なくとも２つの値のうちの１つを選択し、例えば、大きいデータパケットに対してＰ１とＰ２から値Ｐ１を選択し、小さいデータパケットに対してＰ１とＰ２から値Ｐ２を選択する。
【０１３６】
あるいは、ネットワーク側装置は、大きいデータパケットおよび小さいデータパケットについて送信パラメータ、すなわち送信電力を選択し、例えば小さいデータパケットに対して送信パラメータ、すなわち送信電力オフセットを選択し、大きいデータパケットに対してＰ１とＰ２から値Ｐ１を選択し、小さいデータパケットに対してΔＰ１とΔＰ２から値ΔＰ１を選択する。
【０１３７】
あるいは、ネットワーク側装置は、大きいデータパケットに対して送信パラメータ、すなわち送信電力オフセットを選択し、小さいデータパケットに対して送信パラメータ、すなわち送信電力を選択し、例えば、大きいデータパケットに対してΔＰ１およびΔＰ２からΔＰ２を選択し、小さいデータパケットに対してＰ１とＰ２から値Ｐ２を選択する。
【０１３８】
あるいは、ネットワーク側装置は、大きいデータパケットと小さいデータパケットとに対して送信パラメータ、すなわち送信確率重みを選択し、例えば、大きいデータパケットについてはＸ１＝１とＸ２＝０．５からＸ１＝１を選択し、小さいデータパケットについてはＸ１＝１とＸ２＝０．５からＸ２＝０．５を選択する、すなわち、小さいデータパケットは０．５の確率で送信される。
【０１３９】
あるいは、ネットワーク側装置は、大きいデータパケットと小さいデータパケットに対して送信パラメータ、すなわち送信周期を選択し、大きいデータパケットのための送信周期を選択し、例えば、Ｔ１＝１００ｍｓ、Ｔ２＝２００ｍｓからＴ１＝１００ｍｓを選択する。すなわち、１００ｍｓ間隔で大きいデータパケットを送信することを選択し、Ｔ１＝１００ｍｓ、Ｔ２＝２００ｍｓからＴ２＝２００ｍｓを選択し、すなわち、小さいデータパケットは２００ｍｓ間隔で送信される。
【０１４０】
あるいは、ネットワーク側装置は、大きいデータパケットおよび小さいデータパケットについて送信パラメータを、すなわち再送信量を選択し、例えば、大きいデータパケットに対して再総量を選択し、Ｎ１＝３、Ｎ２＝１、Ｎ３＝０からＮ１＝３を選択して、すなわち、大きいデータパケット内の各データパケットは４回送信され、（データパケットは１回送信され、３回再送信され、すなわちデータパケットは合計４回送信され）、および小さいデータパケットのために別の再送信量を選択し、例えば、Ｎ１＝３、Ｎ２＝１、Ｎ３＝０からＮ３＝０を選択し、すなわち、小さいデータパケット内の各データパケットは１回送信され、再送信されない。
【０１４１】
あるいは、ネットワーク側装置は、大きいデータパケットおよび小さいデータパケットに対して、送信パラメータ、すなわちＭＣＳレベルを選択し、例えば、大きいデータパケットに対してＭＣＳレベルを選択し、それぞれＭＣＳ＝０ないしＭＣＳ＝３１の３２通りのプリセットされたＭＣＳレベルからＭＣＳ＝６を選択し、すなわち大きいデータパケットはＭＣＳレベル６で送信され、小さいデータパケットに対して他のＭＣＳレベル、例えばＭＣＳ＝１０を選択し、すなわち小さいデータパケットがＭＣＳレベル１０で送信される。
【０１４２】
あるいは、ネットワーク側装置は、大きいデータパケットおよび小さいデータパケットの送信パラメータ、すなわちリソースプール構成パラメータを選択し、例えば、大きいデータパケットのリソースプール構成パラメータを選択し、Ｃ１とＣ２からＣ１を選択し、小さいデータパケットに対し別のリソースプール構成パラメータを選択し、例えば、Ｃ１とＣ２からＣ１を選択する。
【０１４３】
あるいは、大きいデータパケットと小さいデータパケットとのためにネットワーク側装置によって選択された送信パラメータが上記送信パラメータの少なくとも２つである場合、大きいデータパケットに対して、少なくとも２つの送信パラメータに対応する１つの、値のグループが選択されてもよい。例えば、ネットワーク側装置が大きいデータパケットおよび小さいデータパケットに対して、送信パラメータを選択した場合、すなわち、送信電力およびリソースプール構成パラメータを選択した場合、送信電力およびリソースプール構成パラメータの１つの、値のグループが、大きいデータパケットに対して選択されてもよく、例えば、送信電力Ｐ１およびリソースプール構成パラメータＣ１の値の１つのグループが選択されてもよく、送信電力およびリソースプール構成パラメータの別の、値のグループが、小さいデータパケットに対して選択されてもよく、例えば、送信電力Ｐ２およびリソースプール構成パラメータＣ２の値の１つのグループが選択されてもよい。
【０１４４】
２．送信要求セットは送信遅延を含む。
【０１４５】
本発明のこの実施形態では、ネットワーク側装置は、少なくとも２つの遅延要求を定め、各遅延要求に特有の送信パラメータを、送信パラメータセットから選択する。送信パラメータセットは、上記の実施形態の送信パラメータセットであってもよく、例えば、Ｓ１０１で使用される送信パラメータセットであってもよい。
【０１４６】
本発明のこの実施形態では、ネットワーク側装置は、遅延要求を２つのタイプに分類し、例えば、遅延が１００ｍｓ以下であることが要求されるサービスは、低遅延が要求されるサービスとして用いられ、遅延が５００ｍｓ以下であることが要求されるサービスは、高遅延が要求されるサービスとして用いられる。ネットワーク側装置は、低遅延を必要とするサービスと高遅延を必要とするサービスとに対して同じ送信パラメータを選択し、送信パラメータは異なる値に対応する。あるいは、ネットワーク側装置は、低遅延を必要とするサービスおよび高遅延を必要とするサービスに対して異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１４７】
３．送信要求セットは送信レート要求を含む。
【０１４８】
本発明のこの実施形態では、ネットワーク側装置は、少なくとも２つの送信レートを定め、各送信レート要求に対して送信パラメータを、送信パラメータセットから選択する。送信パラメータセットは、上記の実施形態の送信パラメータセットであってもよく、例えば、Ｓ１０１で使用される送信パラメータセットであってもよい。
【０１４９】
本発明のこの実施形態では、ネットワーク側装置は、送信レート要求を２つのタイプに分類し、例えば、１秒当たり１０回の送信が必要なサービスが高送信レートを必要とするサービスとして用いられ、１秒当たり２回の送信が必要なサービスが低送信レートを必要とするサービスとして使用される。ネットワーク側装置は、高い送信レートを必要とするサービス、および低い送信レートを必要とするサービスに対し、同じ送信パラメータを選択してもよく、送信パラメータは異なる値に対応する。あるいは、ネットワーク側装置は、高送信レートを必要とするサービスおよび低送信レートを必要とするサービスに対して異なる送信パラメータを選択してもよい。特定の選択方法については、上記実施形態の、大きいデータパケット及び小さいデータパケットの送信パラメータを選択し、送信パラメータの値を選択するプロセスを参照し、詳細はここでは説明しない。
【０１５０】
４．送信要求セットはパケット損失レート要求を含む。
【０１５１】
本発明のこの実施形態では、ネットワーク側装置は、少なくとも２つのパケット損失レート要求を定め、各パケット損失レート要求に対する送信パラメータを、送信パラメータセットから選択する。送信パラメータセットは、上記の実施形態の送信パラメータセットであってもよく、例えば、Ｓ１０１で使用される送信パラメータセットであってもよい。
【０１５２】
本発明のこの実施形態では、ネットワーク側装置は、パケット損失レート要求を２つのタイプに分類することができ、パケット損失レートが１％以下のサービスは、パケット損失レートの要求が高いサービスとして用いられ、パケット損失レートが１０％以下のサービスは、パケット損失レートの要求が低いサービスとして利用される。ネットワーク側装置は、パケット損失レートに対する要求が高いサービス、およびパケット損失レートに対する要求が低いサービスに対して同じ送信パラメータを選択してもよく、ここで送信パラメータは異なる値に対応する。あるいは、ネットワーク側装置は、パケット損失レートに対する高い要求を伴うサービス、およびパケット損失レートに対する低い要求を伴うサービスに対し、異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１５３】
５．送信要求セットは優先度要求を含む。
【０１５４】
本発明のこの実施形態では、ネットワーク側装置は、少なくとも２つの優先度要求を定め、各優先度要求に対して、送信パラメータセットから送信パラメータを選択する。送信パラメータセットは、上記の実施形態の送信パラメータセットであってもよく、例えば、Ｓ１０１で使用される送信パラメータセットであってもよい。
【０１５５】
本発明のこの実施形態では、ネットワーク側装置は、優先度要求を優先度１ないし優先度８の８種類に分類することができ、例えば、優先度レベル８のサービスを高い優先度を要求するサービスとして使用し、優先度レベル１のサービスを低い優先度を要求するサービスとして使用する。ネットワーク側装置は、高優先度を必要とするサービスと低優先度を必要とするサービスとに対して同じ送信パラメータを選択してもよく、ここで送信パラメータは異なる値に対応する。あるいは、ネットワーク側装置は、高優先度を必要とするサービスおよび低優先度を必要とするサービスに対して異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１５６】
６．送信要求セットはＱＣＩレベル要求を含む。
【０１５７】
本発明のこの実施形態では、ネットワーク側装置は、少なくとも２つのＱＣＩレベル要求を定め、各ＱＣＩレベル要求に対して、送信パラメータセットから送信パラメータを選択する。送信パラメータセットは、上記の実施形態の送信パラメータセットであってもよく、例えば、Ｓ１０１で使用される送信パラメータセットであってもよい。
【０１５８】
本発明のこの実施形態では、ネットワーク側装置は、ＱＣＩレベル要求をＱＣＩレベル１ないしＱＣＩレベル８の８種類に分類することができ、例えば、ＱＣＩレベル８のサービスを高いＱＣＩレベルを要求するサービスとして使用し、ＱＣＩレベル１のサービスを低いＱＣＩレベルを要求するサービスとして使用する。ネットワーク側装置は、高ＱＣＩレベルを必要とするサービスと低ＱＣＩレベルを必要とするサービスとに対して同じ送信パラメータを選択してもよく、ここで送信パラメータは異なる値に対応する。あるいは、ネットワーク側装置は、高ＱＣＩレベルを必要とするサービスおよび低ＱＣＩレベルを必要とするサービスに対して異なる送信パラメータを選択してもよい。特定の選択方法については、上記実施形態の、大きいデータパケット及び小さいデータパケットの送信パラメータの選択するプロセスと、送信パラメータの値を参照し、詳細はここでは説明しない。
【０１５９】
本発明のこの実施形態では、送信要求セットは、上記の様々な送信要求のうち少なくとも２つを含み得る。各送信要求に特有な、送信パラメータと送信パラメータの値とを選択するプロセスは、次のように実行され得る。
【０１６０】
Ｓ３０２：ネットワーク側装置は、送信要求セットと、その送信要求セットに対応する送信パラメータの値とを送信する。
【０１６１】
本発明のこの実施形態では、ネットワーク側装置は、送信パラメータセットのために値のグループが選択される送信要求をブロードキャストすることができ、送信要求および対応する送信パラメータを受信した端末は、その送信要求セットに対応する送信パラメータセットの値に基づいてデータを送信する。例えば、端末がネットワーク側装置から送信パラメータセット中の送信パラメータ、すなわち送信周期と、その送信周期の値を取得する場合、データパケット長が３００バイト以上である大きいデータパケットの送信周期は５００ｍｓであり、データパケット長が３００バイトより少ない小さいデータパケットは送信周期１００ｍｓであり、ネットワーク側装置により送信され、端末により受信される送信要求セットは、データパケット長を含み、端末は、５００ｍｓの間隔で、データパケット長が３００バイト以上である大きいデータパケットを送信し、１００ｍｓの間隔で、データパケット長が３００バイト未満の小さいデータパケットを送信する。
【０１６２】
具体的には、ネットワーク側装置は、送信要求および対応する送信パラメータをブロードキャストモードで送信し、またはＲＲＣシグナリングを使用して送信要求および対応する送信パラメータを送信し、または制御シグナリングを使用して送信要求および対応する送信パラメータを送信することができる。制御シグナリングは、共通制御シグナリングと特定ユーザ制御シグナリングとに分類される。
【０１６３】
ネットワーク側装置は、共通制御シグナリングを用いてブロードキャストモードで送信パラメータを送信し、セル内のすべての端末が送信要求の同じパラメータを有するようにしてもよい。あるいは、ネットワーク側装置は、ＲＲＣシグナリングまたは特定ユーザ制御シグナリングを使用して送信要求と、対応する送信パラメータを送信し、異なる端末が送信要求に特有の異なるパラメータを有するようにする。
【０１６４】
例えば、ネットワーク側装置がデータパケット長に基づいてパラメータを選択し、ネットワーク側装置が、データパケット長が３００バイト以上であるデータパケットの再送信量Ｎ１＝３を選択し、送信要求と、対応する再送信パラメータとをブロードキャストモードで送信する場合、データパケット長が３００バイト以上であるセル内のすべての端末により送信されるデータパケットは、３回再送信される。ネットワーク側装置が、データパケット長に基づいてパラメータを選択し、ネットワーク側装置が、データパケット長が３００バイト以上のデータパケットに対して再総量Ｎ１＝３及びＮ２＝１を選択し、専用制御シグナリングを使用して送信要求と、対応するパラメータとを送信し、すなわち、専用制御シグナリングを用いて、送信要求と、対応する再送信量とを端末１に送信し、送信要求と、対応する再送信量Ｎ２とを端末２に送信する場合、端末１により送信されデータパケット長が３００バイト以上であるデータパケットは、３回再送信され、端末２により送信されデータパケット長が３００バイト以上であるデータパケットは１回再送信される。
【０１６５】
任意的に、本発明のこの実施形態では、ネットワーク側装置は、送信要求レベルを分類する分類閾値を設定してもよく、例えば、大きいデータパケットと小さいデータパケットとを分類する分類閾値は３００バイトであり、分類閾値はセル内でブロードキャストされる。
【０１６６】
Ｓ３０３：第１の端末は、ネットワーク側装置によって送信された送信要求セットと、その送信要求セットに対応する送信パラメータセットの値を受信する。
【０１６７】
Ｓ３０４、Ｓ３０５は、それぞれ図８のＳ１０４、Ｓ１０５と同じであり、詳細な説明は省略する。
【０１６８】
本発明のこの実施形態では、送信端末として機能する第１の端末は上記実施形態において、ネットワーク側装置から送信パラメータセットの少なくとも２つの、値のグループのうちの値のグループを取得してもよいし、送信パラメータセットの少なくとも２つの事前設定された、値のグループから値のグループを選択し、選択された、値のグループに基づいて通信データを送信する。実装プロセスについては図１１を参照されたい。
【０１６９】
図１１は、本発明の一実施形態による通信方法を示すさらに他の概略的フローチャートである。図１１に示すように、方法は次のステップを含む。
【０１７０】
Ｓ４０１：第１の端末が、送信パラメータセットに対して事前設定された少なくとも２つの、値のグループから、１つの、値のグループを選択する。
【０１７１】
少なくとも２つの値グループの各値グループは、送信パラメータセットの各送信パラメータの値を含む。送信パラメータセットは、上記の実施形態の送信パラメータセットであってもよく、例えば、Ｓ１０１で使用される送信パラメータセットであってもよい。
【０１７２】
任意的に、第１の端末が、事前設定された送信要求セットに基づいて、送信パラメータセットに対してプリセットされた少なくとも２つの値グループから値グループを選択して、異なる送信要求に特有の差別化された送信を実施することができる。
【０１７３】
送信要求セットと上記の実施形態の送信要求セットとの差分は、送信要求セットが端末により事前設定され、他の部分が上記の実施形態の送信要求、例えば、Ｓ３０１で使用される送信要求と同じであることである。
【０１７４】
Ｓ４０２：第１の端末は、送信パラメータセットの値のグループに基づき通信データを送信する。
【０１７５】
Ｓ４０３、Ｓ４０４は、それぞれ図８のＳ１０４、Ｓ１０５と同じであり、詳細な説明は省略する。
【０１７６】
任意的に、送信パラメータセットの値の少なくとも２つのプリセットグループから値のグループを選択する前に、第１の端末は、サイドリンクのリンク状態を測定し、測定結果に基づいて、そのサイドリンクが輻輳状態にあるか判定し、サイドリンクが輻輳状態にある場合、サイドリンク輻輳情報に基づいて値を選択し、輻輳を緩和する。実装プロセスを図１２に示す。
【０１７７】
図１２に示す方法手順では、Ｓ５０３、Ｓ５０４、Ｓ５０５、Ｓ５０６は、それぞれ図１１のＳ４０１、Ｓ４０２、Ｓ４０３、Ｓ４０４と同じであり、図１１との差分は、送信パラメータセットの値の少なくとも２つの事前設定されたグループから値の１つのグループを選択する前に、本方法は、以下のステップをさらに含む。
【０１７８】
Ｓ５０１：第１の端末はサイドリンクの状態を測定する。
【０１７９】
第１の端末によって測定されるサイドリンクの状況は、例えば、干渉レベル、エネルギーレベル、基準信号受信電力（Ｒｅｆｅｒｅｎｃｅｅ  Ｓｉｇｎａｌ  Ｒｅｃｅｉｖｉｎｇ  Ｐｏｗｅｒ、ＲＳＲＰ）値、またはリソース使用量であり得る。
【０１８０】
Ｓ５０２：  測定結果に基づき、サイドリンクが輻輳状態にあるか判定する。
【０１８１】
測定結果に基づきサイドリンクが輻輳しているか判定することは、指定されたパラメータが指定された閾値を越えるか判定することであってもよい。例えば、第１の端末は、サイドリンクのリソース使用量が閾値を超えているかどうか、例えば、リソース使用量が５０％または８０％を超えているかどうか判定し、しきい値を超えていれば、サイドリンクが輻輳状態にあり、超えていなければ、サイドリンクは輻輳していないと考えられる。
【０１８２】
本発明の実施形態で提供される差別化されたデータ送信は、前述の２つの適用シナリオが組み合わされたシナリオに適用することができる。すなわち、ネットワークの輻輳が発生した場合、送信パラメータセットの値は、送信要求セットに基づいて選択されてもよい。具体的な実施プロセスについては、前述の実施形態の説明を参照し、ここでの詳細な説明は省略する。
【０１８３】
留意点として、本発明の実施形態において、「複数の」とは、２つまたは３つ以上を意味する。用語「および／または」は、関連するオブジェクトを記述するための関連関係を記述し、３つの関係が存在し得ることを表す。例えば、Ａおよび／またはＢは、次の３つの場合を表し得る：Ａのみ存在する、ＡおよびＢの両方が存在する、Ｂのみが存在する。文字「／」は、一般に、関連するオブジェクト間の「または」関係を示す。
【０１８４】
当業者には言うまでもなく、上記実施形態の各方法のステップの全部又は一部は、プロセッサに命令するプログラムにより実施されてもよい。上記のプログラムはコンピュータ読み取り可能記憶媒体に格納してもよい。記憶媒体は、非一時的（英語：ｎｏｎ−ｔｒａｎｓｉｔｏｒｙ）媒体であってもよく、例えば、ランダムアクセスメモリ、リードオンリーメモリ、フラッシュメモリ、ハードディスク、ソリッドステートドライブ、磁気テープ（英語：ｍａｇｎｅｔｉｃ  ｔａｐｅ）、フロッピーディスク（英語：ｆｌｏｐｐｙ  ｄｉｓｋ）（登録商標）、光ディスク（英語：ｏｐｔｉｃａｌ  ｄｉｓｃ）、またはそれらの任意の組み合わせであってもよい。
【０１８５】
本発明は、本発明の実施形態における方法および装置のフローチャートおよびブロック図を参照して説明される。言うまでもなく、コンピュータプログラム命令を用いて、フローチャート及びブロック図の、及びフローチャート及びブロック図のプロセス及びブロックの組み合わせにより、各プロセス及び各ブロックを実装できる。これらのコンピュータプログラム命令を汎用コンピュータ、専用コンピュータ、組み込みプロセッサ、またはその他の任意のプログラマブルデータ処理装置のプロセッサに提供して、機械を生成することができ、コンピュータまたはその他の任意のプログラマブルデータ処理装置のプロセッサにより実行された命令が、フローチャート中の一以上のプロセス及び／またはブロック図中の一以上のブロックの具体的な機能を実装する装置を生成するようにする。
【０１８６】
上記の説明は、単に本発明の実施例であり、本発明の保護範囲の限定を意図したものではない。本発明で開示した技術的範囲内における当業者により容易に想到される変形や置換は、本発明の保護範囲に入るものである。よって、本発明の保護範囲は特許請求の範囲に基づく。
【国際調査報告】
2019503626.tif 000016
2019503626.tif 000017
2019503626.tif 000018
2019503626.tif 000019